(57)【要約】      （修正有）【課題】１つの入力信号を用いて複数の使用モードを提供する移動端末機及びその制御方法を提供する。【解決手段】移動端末機は、ディスプレイ部５１０と、入力信号をセンシングするセンシング部５２０と、制御部５４０を含む。制御部は、ディスプレイ部が非活性化された状態で第１入力信号がセンシングされる場合、第１アンロックモードに遷移し、ディスプレイ部が活性化された状態で第１入力信号がセンシングされる場合、第２アンロックモードに遷移する。第１アンロックモードで提供されるコンテンツと前記第２アンロックモードで提供されるコンテンツとは少なくとも一部が互いに異なる。【選択図】図５
2016201090.tif 000002
【特許請求の範囲】
【請求項１】
ディスプレイ部と、
入力信号をセンシングするセンシング部と、
制御部とを含み、
前記ディスプレイ部が非活性化された状態で第１入力信号がセンシングされる場合、第１アンロックモードに遷移し、
前記ディスプレイ部が活性化された状態で第１入力信号がセンシングされる場合、第２アンロックモードに遷移し、
前記第１アンロックモードで提供されるコンテンツと前記第２アンロックモードで提供されるコンテンツとは少なくとも一部が互いに異なる、移動端末機。
【請求項２】
前記制御部は、
前記ディスプレイ部が活性化された状態でアンロックインターフェースをディスプレイし、
前記アンロックインターフェースに対する前記第１入力信号をセンシングする場合、前記第２アンロックモードに遷移することをさらに含む、請求項１に記載の移動端末機。
【請求項３】
前記第１アンロックモードで提供されるコンテンツは、前記第２アンロックモードで提供されるコンテンツの一部に該当する、請求項１に記載の移動端末機。
【請求項４】
前記第１アンロックモードはセキュリティ設定モードに対応し、前記第２アンロックモードはセキュリティ解除モードに対応する、請求項１に記載の移動端末機。
【請求項５】
前記第１入力信号は、前記ディスプレイ部のロックモードを解除するための信号に該当する、請求項１に記載の移動端末機。
【請求項６】
前記制御部は、
前記第１アンロックモードで既設定のメニューオプションに対する第２入力信号がセンシングされる場合、登録されたユーザであるかを決定するためのユーザ認証インターフェースをディスプレイし、
前記第２アンロックモードで前記既設定のメニューオプションに対する第２入力信号がセンシングされる場合、前記第１アンロックモードに遷移することをさらに含む、請求項１に記載の移動端末機。
【請求項７】
前記制御部は、
前記ユーザ認証インターフェースに対する第３入力信号がセンシングされる場合、前記第２アンロックモードに遷移することをさらに含み、
前記第３入力信号は、既設定の暗号に対応する、請求項６に記載の移動端末機。
【請求項８】
前記第１アンロックモードでディスプレイされた既設定のメニューオプションと、前記第２アンロックモードでディスプレイされた既設定のメニューオプションとは互いに異に表示される、請求項６に記載の移動端末機。
【請求項９】
ディスプレイ部と、
入力信号をセンシングするセンシング部と、
制御部とを含み、
前記制御部は、
前記ディスプレイ部の既設定の領域で第１入力信号がセンシングされる場合、第１アンロックモードに遷移し、
前記ディスプレイ部の前記既設定の領域を除外した領域で前記第１入力信号がセンシングされる場合、第２アンロックモードに遷移し、
前記第１アンロックモードで提供されるコンテンツと前記第２アンロックモードで提供されるコンテンツとは少なくとも一部が互いに異なる、移動端末機。
【請求項１０】
前記第１入力信号は、前記ディスプレイ部が活性化された状態でセンシングされる、請求項９に記載の移動端末機。
【請求項１１】
前記制御部は、
前記ディスプレイ部が活性化された状態でアンロックインターフェースをディスプレイするロック画面を表示し、
前記ロック画面上に、既設定の領域で前記第１入力信号がセンシングされる場合、前記第１アンロックモードに遷移し、
前記アンロックインターフェースで前記第１入力信号がセンシングされる場合、前記第２アンロックモードに遷移することをさらに含む、請求項１０に記載の移動端末機。
【請求項１２】
前記既設定の領域と、前記アンロックインターフェースをディスプレイする領域とは互いに異なる、請求項１１に記載の移動端末機。
【請求項１３】
前記第１入力信号は、前記ディスプレイ部が非活性化された状態でセンシングされる、請求項９に記載の移動端末機。
【請求項１４】
前記制御部は、
前記第１アンロックモードで前記ディスプレイ部の既設定の領域に対する第４入力信号がセンシングされる場合、第１ロックモードに遷移し、
前記第１アンロックモードで前記ディスプレイ部の既設定の領域を除外した領域に対する前記第４入力信号がセンシングされる場合、登録されたユーザであるかを決定するためのユーザ認証インターフェースをディスプレイすることをさらに含む、請求項９に記載の移動端末機。
【請求項１５】
前記制御部は、
前記ユーザ認証インターフェースに対する第５入力信号がセンシングされる場合、第２ロックモードに遷移することをさらに含み、
前記第５入力信号は、既設定の暗号に対応する、請求項１４に記載の移動端末機。
【請求項１６】
前記制御部は、
前記第２アンロックモードで前記第４入力信号がセンシングされる場合、第２ロックモードに遷移することをさらに含む、請求項１４に記載の移動端末機。
【請求項１７】
前記第１ロックモードは、前記第１アンロックモードに対応するロックモードであり、前記第２ロックモードは、前記第２アンロックモードに対応するロックモードである、請求項１５に記載の移動端末機。
【請求項１８】
前記制御部は、
前記ディスプレイ部の既設定の領域内に前記第１入力信号の最終位置に対応する領域が含まれる場合、前記第１アンロックモードに遷移し、
前記ディスプレイ部の前記既設定の領域を除外した領域に前記第１入力信号の最終位置に対応する領域が含まれる場合、前記第２アンロックモードに遷移することをさらに含む、請求項９に記載の移動端末機。
【請求項１９】
ディスプレイ部と、
入力信号をセンシングするセンシング部と、
外部デジタルデバイスから信号を受信するコミュニケーション部と、
制御部とを含み、
前記制御部は、
前記外部デジタルデバイスの第１使用モードを示す第１信号、または前記外部デジタルデバイスの第２使用モードを示す第２信号を受信し、
前記外部デジタルデバイスから前記第１信号を受信し、前記ディスプレイ部に対する第１入力信号をセンシングする場合、第１アンロックモードに遷移し、
前記外部デジタルデバイスから前記第２信号を受信し、前記ディスプレイ部に対する第１入力信号をセンシングする場合、第２アンロックモードに遷移し、
前記第１アンロックモードで提供されるコンテンツと前記第２アンロックモードで提供されるコンテンツとは少なくとも一部が互いに異なる、移動端末機。
【請求項２０】
前記外部デジタルデバイスの前記第１使用モードはセキュリティ設定モードに対応し、前記外部デジタルデバイスの前記第２使用モードはセキュリティ解除モードに対応する、請求項１９に記載の移動端末機。
【発明の詳細な説明】
【技術分野】
【０００１】
本発明は、移動端末機及びその制御方法に関する。
【背景技術】
【０００２】
端末機は、移動が可能であるか否かによって移動端末機（ｍｏｂｉｌｅ／ｐｏｒｔａｂｌｅ  ｔｅｒｍｉｎａｌ）と固定端末機（ｓｔａｔｉｏｎａｒｙ  ｔｅｒｍｉｎａｌ）とに分けられる。さらに、移動端末機は、ユーザが直接携帯できるか否かによって携帯（型）端末機（ｈａｎｄｈｅｌｄ  ｔｅｒｍｉｎａｌ）と据置型端末機（ｖｅｈｉｃｌｅ  ｍｏｕｎｔｅｄ  ｔｅｒｍｉｎａｌ）とに分けられる。
【０００３】
移動端末機の機能は多様化している。例えば、データと音声通信、カメラを用いた写真撮影及びビデオ撮影、音声録音、スピーカーシステムを用いた音楽ファイルの再生、そして、ディスプレイ部にイメージやビデオを出力する機能がある。一部の端末機には電子ゲームプレー機能が追加され、また、他の端末機はマルチメディアプレーヤーとして構成される。特に、最近の移動端末機は、放送、ビデオまたはテレビジョンプログラムのような視覚的コンテンツを提供するマルチキャスト信号を受信することができる。
【０００４】
このような端末機（ｔｅｒｍｉｎａｌ）は、機能の多様化に伴い、例えば、写真や動画の撮影、音楽や動画ファイルの再生、ゲーム、放送の受信などの複合的な機能を備えたマルチメディア機器（Ｍｕｌｔｉｍｅｄｉａ  ｐｌａｙｅｒ）の形態で具現されている。
【０００５】
端末機の機能の支持及び増大のための努力がなされている。このような努力には、端末機の構造的な部分の変更及び改良のみならず、ソフトウェア及びハードウェアの改良が含まれる。
【０００６】
一方、セキュリティのために、移動端末機は、一部のコンテンツをユーザに提供しないモード及び全てのコンテンツをユーザに提供するモードが必要であり得る。この場合、それぞれのモードに遷移するために入力信号が２つ以上設定された場合、ユーザは、使用上不便を感じることがある。
【発明の概要】
【発明が解決しようとする課題】
【０００７】
本発明は、上述した問題及び他の問題を解決することを目的とする。更に他の目的は、１つの入力信号を用いて複数の使用モードを提供する移動端末機及びその制御方法を提供することをその目的とする。
【０００８】
更に他の目的は、入力信号をセンシングする位置に基づいて複数の使用モードを提供する移動端末機及びその制御方法を提供することをその目的とする。
【０００９】
更に他の目的は、ディスプレイ部が活性化されたか否かに基づいて複数の使用モードを提供する移動端末機及びその制御方法を提供することをその目的とする。
【００１０】
更に他の目的は、外部デジタルデバイスの使用モードに基づいて複数の使用モードを提供する移動端末機及びその制御方法を提供することをその目的とする。
【課題を解決するための手段】
【００１１】
上記または他の目的を達成するために、本発明の一側面によれば、移動端末機であって、ディスプレイ部と、入力信号をセンシングするセンシング部と、制御部とを含み、前記制御部は、前記ディスプレイ部が非活性化された状態で第１入力信号がセンシングされる場合、第１アンロックモードに遷移し、前記ディスプレイ部が活性化された状態で前記第１入力信号がセンシングされる場合、第２アンロックモードに遷移し、前記第１アンロックモードで提供されるコンテンツと前記第２アンロックモードで提供されるコンテンツとは少なくとも一部が互いに異なる、移動端末機を提供する。
【００１２】
また、本発明の他の側面によれば、移動端末機であって、ディスプレイ部と、入力信号をセンシングするセンシング部と、制御部とを含み、前記制御部は、前記ディスプレイ部の前記既設定の領域で第１入力信号がセンシングされる場合、第１アンロックモードに遷移し、前記ディスプレイ部の前記既設定の領域を除外した領域で前記第１入力信号がセンシングされる場合、第２アンロックモードに遷移し、前記第１アンロックモードで提供されるコンテンツと前記第２アンロックモードで提供されるコンテンツとは少なくとも一部が互いに異なる、移動端末機を提供する。
【００１３】
また、本発明の他の側面によれば、移動端末機であって、ディスプレイ部と、入力信号をセンシングするセンシング部と、外部デジタルデバイスから信号を受信するコミュニケーション部と、制御部とを含み、前記制御部は、前記外部デジタルデバイスの第１使用モードを示す第１信号または前記外部デジタルデバイスの第２使用モードを示す第２信号を受信し、前記外部デジタルデバイスから前記第１信号を受信し、前記ディスプレイ部に対する第１入力信号をセンシングする場合、第１アンロックモードに遷移し、前記外部デジタルデバイスから第２信号を受信し、前記ディスプレイ部に対する前記第１入力信号をセンシングする場合、第２アンロックモードに遷移し、前記第１アンロックモードで提供されるコンテンツと前記第２アンロックモードで提供されるコンテンツとは少なくとも一部が互いに異なる、移動端末機を提供する。
【発明の効果】
【００１４】
本発明に係る移動端末機及びその制御方法の効果について説明すると、次の通りである。
【００１５】
本発明の実施例のうちの少なくとも一つによれば、ユーザがロック画面を解除するために１つの暗号のみを知っていても複数のアンロックモードを利用できる移動端末機、及びその制御方法を提供することができる。
【００１６】
また、本発明の実施例のうちの少なくとも一つによれば、ユーザが、特定のアンロックモードで移動端末機を利用中に既設定のメニューに対するタッチ入力を加えると、他のアンロックモードに遷移できる移動端末機、及びその制御方法を提供することができる。
【００１７】
また、本発明の実施例のうちの少なくとも一つによれば、ユーザが、特定のアンロックモードを利用中に既設定の暗号を入力すると、特定のアンロックモードで提供されていたセキュリティ状態がロックモードに切り替わった状態でも提供され得る移動端末機、及びその制御方法を提供することができる。
【００１８】
本発明の適用可能性の追加的な範囲は、以下の詳細な説明から明らかになるであろう。しかし、本発明の思想及び範囲内での様々な変更及び修正は当業者に明確に理解され得るので、詳細な説明及び本発明の好ましい実施例のような特定の実施例は、単に例示として与えられたものと理解しなければならない。
【図面の簡単な説明】
【００１９】
【図１Ａ】本発明と関連する移動端末機を説明するためのブロック図である。
【図１Ｂ】本発明と関連する移動端末機の一例を図１Ｃとは異なる方向から見た概念図である。
【図１Ｃ】本発明と関連する移動端末機の一例を図１Ｂとは異なる方向から見た概念図である。
【図２】本発明に係る変形可能な移動端末機の他の例を説明するための概念図である。
【図３】本発明の他の一実施例と関連するウォッチタイプの移動端末機の一例を示す斜視図である。
【図４】本発明の更に他の一実施例と関連するグラスタイプの移動端末機の一例を示す斜視図である。
【図５】本発明の一実施例による移動端末機の構成モジュールを示すブロック図である。
【図６】本発明の一実施例による移動端末機の第１アンロックモード及び第２アンロックモードの一例を説明するための図である。
【図７】本発明の一実施例による移動端末機の第１アンロックモード及び第２アンロックモードの一例を説明するための図である。
【図８】本発明の一実施例による移動端末機の第１アンロックモード及び第２アンロックモードの一例を説明するための図である。
【図９】本発明の一実施例による移動端末機の第１アンロックモード及び第２アンロックモードの一例を説明するための図である。
【図１０】本発明の一実施例による移動端末機のディスプレイ部が活性化された状態でのロックモードを示す画面の一例を説明するための図である。
【図１１Ａ】本発明の一実施例による移動端末機のロックモードからアンロックモードに遷移する方法の一例を説明するための図である。
【図１１Ｂ】本発明の一実施例による移動端末機のロックモードからアンロックモードに遷移する方法の一例を説明するための図である。
【図１２Ａ】本発明の一実施例による移動端末機のロックモードからアンロックモードに遷移する方法の一例を説明するための図である。
【図１２Ｂ】本発明の一実施例による移動端末機のロックモードからアンロックモードに遷移する方法の一例を説明するための図である。
【図１３Ａ】本発明の一実施例による移動端末機のロックモードからアンロックモードに遷移する方法の一例を説明するための図である。
【図１３Ｂ】本発明の一実施例による移動端末機のロックモードからアンロックモードに遷移する方法の一例を説明するための図である。
【図１４Ａ】本発明の一実施例による移動端末機のロックモードからアンロックモードに遷移する方法の一例を説明するための図である。
【図１４Ｂ】本発明の一実施例による移動端末機のロックモードからアンロックモードに遷移する方法の一例を説明するための図である。
【図１５Ａ】本発明の一実施例による移動端末機においてディスプレイ部が非活性化された状態でアンロックモードに遷移する方法の一例を説明するための図である。
【図１５Ｂ】本発明の一実施例による移動端末機においてディスプレイ部が非活性化された状態でアンロックモードに遷移する方法の一例を説明するための図である。
【図１６Ａ】本発明の一実施例による移動端末機においてディスプレイ部の画面ロック状態でアンロックモードに遷移する方法の一例を説明するための図である。
【図１６Ｂ】本発明の一実施例による移動端末機においてディスプレイ部の画面ロック状態でアンロックモードに遷移する方法の一例を説明するための図である。
【図１７Ａ】本発明の一実施例による移動端末機の利用中に他のアンロックモードに遷移する方法の一例を説明するための図である。
【図１７Ｂ】本発明の一実施例による移動端末機の利用中に他のアンロックモードに遷移する方法の一例を説明するための図である。
【図１８Ａ】本発明の一実施例による移動端末機のアンロックモードからロックモードに遷移する方法の一例を説明するための図である。
【図１８Ｂ】本発明の一実施例による移動端末機のアンロックモードからロックモードに遷移する方法の一例を説明するための図である。
【図１８Ｃ】本発明の一実施例による移動端末機のアンロックモードからロックモードに遷移する方法の一例を説明するための図である。
【図１９】本発明の一実施例による移動端末機の制御方法を示すフローチャートである。
【図２０】本発明の一実施例による移動端末機の制御方法を示すフローチャートである。
【図２１】本発明の一実施例による移動端末機の制御方法を示すフローチャートである。
【発明を実施するための形態】
【００２０】
以下、添付の図面を参照して、本明細書に開示された実施例を詳細に説明し、図面符号に関係なく同一又は類似の構成要素には同一の参照番号を付与し、これに関する重複説明は省略する。以下の説明で用いられる構成要素の接尾辞、「モジュール」及び「部」は、明細書の作成を容易にするために付与又は混用されるものであり、それ自体が互いに区別される意味又は役割を有するものではない。また、本明細書に開示された実施例を説明するにあたって、関連する公知技術に関する具体的な説明が本明細書に開示された実施例の要旨を不明にすると判断される場合は、その詳細な説明を省略する。なお、添付図面は本明細書に開示された実施例を容易に理解できるようにするためのものに過ぎず、添付図面によって本明細書に開示された技術的思想が制限されるものではなく、本発明の思想及び技術範囲に含まれるすべての変更、均等物ないし代替物を含むものと理解しなければならない。
【００２１】
第１、第２などのように序数を含む用語は、様々な構成要素を説明するために使用できるが、前記構成要素は、前記用語によって限定されてはならない。前記用語は、一つの構成要素を他の構成要素から区別する目的でのみ使用される。
【００２２】
ある構成要素が他の構成要素に「連結」又は「接続」されていると言及された場合には、その他の構成要素に直接的に連結又は接続されていることもあるが、その構成要素間に他の構成要素が存在することもあると理解すべきであろう。反面、ある構成要素が他の構成要素に「直接連結」又は「直接接続」されていると言及された場合には、その構成要素間に他の構成要素が存在しないものとして理解すべきであろう。
【００２３】
本明細書で説明される移動端末機には、携帯電話、スマートフォン（ｓｍａｒｔ  ｐｈｏｎｅ）、ノートパソコン（ｌａｐｔｏｐ  ｃｏｍｐｕｔｅｒ）、デジタル放送用端末機、ＰＤＡ（ｐｅｒｓｏｎａｌ  ｄｉｇｉｔａｌ  ａｓｓｉｓｔａｎｔｓ）、ＰＭＰ（ｐｏｒｔａｂｌｅ  ｍｕｌｔｉｍｅｄｉａ  ｐｌａｙｅｒ）、ナビゲーション、スレートＰＣ（ｓｌａｔｅ  ＰＣ）、タブレットＰＣ（ｔａｂｌｅｔ  ＰＣ）、ウルトラブック（ｕｌｔｒａｂｏｏｋ）、ウェアラブルデバイス（ｗｅａｒａｂｌｅ  ｄｅｖｉｃｅ）（例えば、ウォッチ型端末機（ｓｍａｒｔｗａｔｃｈ）、グラス型端末機（ｓｍａｒｔ  ｇｌａｓｓｅｓ）、ＨＭＤ（ｈｅａｄ  ｍｏｕｎｔｅｄ  ｄｉｓｐｌａｙ））などが含まれてもよい。
【００２４】
しかし、本明細書に記載された実施例に係る構成は、移動端末機のみに適用可能な場合を除外すれば、デジタルＴＶ、デスクトップコンピュータ、デジタルサイネージなどのような固定端末機にも適用できるということを本技術分野の当業者であれば容易に理解できるであろう。
【００２５】
図１Ａ乃至図１Ｃを参照すると、図１Ａは、本発明と関連する移動端末機を説明するためのブロック図であり、図１Ｂ及び図１Ｃは、本発明と関連する移動端末機の一例を互いに異なる方向から見た概念図である。
【００２６】
前記移動端末機１００は、無線通信部１１０、入力部１２０、センシング部１４０、出力部１５０、インターフェース部１６０、メモリ１７０、制御部１８０及び電源供給部１９０などを含むことができる。図１Ａに示した構成要素は、移動端末機を具現する際に必ず必要なものではないので、本明細書上で説明される移動端末機は、上記で列挙した構成要素よりも多い又は少ない構成要素を有することができる。
【００２７】
より具体的には、前記構成要素のうち無線通信部１１０は、移動端末機１００と無線通信システムとの間、移動端末機１００と他の移動端末機１００との間、または移動端末機１００と外部サーバーとの間の無線通信を可能にする１つ以上のモジュールを含むことができる。また、前記無線通信部１１０は、移動端末機１００を１つ以上のネットワークに接続する１つ以上のモジュールを含むことができる。
【００２８】
このような無線通信部１１０は、放送受信モジュール１１１、移動通信モジュール１１２、無線インターネットモジュール１１３、近距離通信モジュール１１４、位置情報モジュール１１５のうちの少なくとも１つを含むことができる。
【００２９】
入力部１２０は、映像信号入力のためのカメラ１２１又は映像入力部、オーディオ信号入力のためのマイクロホン（ｍｉｃｒｏｐｈｏｎｅ）１２２又はオーディオ入力部、ユーザから情報が入力されるユーザ入力部１２３（例えば、タッチキー（ｔｏｕｃｈ  ｋｅｙ）、プッシュキー（ｍｅｃｈａｎｉｃａｌ  ｋｅｙ）など）を含むことができる。入力部１２０で収集した音声データやイメージデータは分析されてユーザの制御命令として処理可能である。
【００３０】
センシング部１４０は、移動端末機内の情報、移動端末機を取り囲む周辺環境情報及びユーザ情報のうちの少なくとも１つをセンシングするための１つ以上のセンサを含むことができる。例えば、センシング部１４０は、近接センサ１４１（ｐｒｏｘｉｍｉｔｙ  ｓｅｎｓｏｒ）、照度センサ１４２（ｉｌｌｕｍｉｎａｔｉｏｎ  ｓｅｎｓｏｒ）、タッチセンサ（ｔｏｕｃｈ  ｓｅｎｓｏｒ）、加速度センサ（ａｃｃｅｌｅｒａｔｉｏｎ  ｓｅｎｓｏｒ）、磁気センサ（ｍａｇｎｅｔｉｃ  ｓｅｎｓｏｒ）、重力センサ（Ｇ−ｓｅｎｓｏｒ）、ジャイロスコープセンサ（ｇｙｒｏｓｃｏｐｅ  ｓｅｎｓｏｒ）、モーションセンサ（ｍｏｔｉｏｎ  ｓｅｎｓｏｒ）、ＲＧＢセンサ、赤外線センサ（ＩＲセンサ：ｉｎｆｒａｒｅｄ  ｓｅｎｓｏｒ）、指紋認識センサ（ｆｉｎｇｅｒ  ｓｃａｎ  ｓｅｎｓｏｒ）、超音波センサ（ｕｌｔｒａｓｏｎｉｃ  ｓｅｎｓｏｒ）、光センサ（ｏｐｔｉｃａｌ  ｓｅｎｓｏｒ）（例えば、カメラ１２１参照）、マイクロホン（ｍｉｃｒｏｐｈｏｎｅ、１２２参照）、バッテリーゲージ（ｂａｔｔｅｒｙ  ｇａｕｇｅ）、環境センサ（例えば、気圧計、湿度計、温度計、放射能感知センサ、熱感知センサ、ガス感知センサなど）、化学センサ（例えば、電子鼻、ヘルスケアセンサ、生体認識センサなど）のうちの少なくとも１つを含むことができる。一方、本明細書に開示された移動端末機は、このようなセンサのうちの少なくとも２つ以上のセンサでセンシングされる情報を組み合わせて活用することができる。
【００３１】
出力部１５０は、視覚、聴覚または触覚などと関連する出力を発生させるためのもので、ディスプレイ部１５１、音響出力部１５２、ハプティックモジュール１５３、光出力部１５４のうちの少なくとも１つを含むことができる。ディスプレイ部１５１は、タッチセンサと相互レイヤー構造をなしたり、または一体型に形成されることによって、タッチスクリーンを具現することができる。このようなタッチスクリーンは、移動端末機１００とユーザとの間の入力インターフェースを提供するユーザ入力部１２３として機能すると共に、移動端末機１００とユーザとの間の出力インターフェースを提供することができる。
【００３２】
インターフェース部１６０は、移動端末機１００に接続される様々な種類の外部機器との経路の役割を果たす。このようなインターフェース部１６０は、有／無線ヘッドセットポート（ｐｏｒｔ）、外部充電器ポート（ｐｏｒｔ）、有／無線データポート（ｐｏｒｔ）、メモリカード（ｍｅｍｏｒｙ  ｃａｒｄ）ポート、識別モジュールが備えられた装置を接続するポート（ｐｏｒｔ）、オーディオＩ／Ｏ（Ｉｎｐｕｔ／Ｏｕｔｐｕｔ）ポート（ｐｏｒｔ）、ビデオＩ／Ｏ（Ｉｎｐｕｔ／Ｏｕｔｐｕｔ）ポート（ｐｏｒｔ）、イヤホンポート（ｐｏｒｔ）のうちの少なくとも１つを含むことができる。移動端末機１００では、前記インターフェース部１６０に外部機器が接続されることに対応して、接続された外部機器と関連する適切な制御を行うことができる。
【００３３】
また、メモリ１７０は、移動端末機１００の様々な機能を支援するデータを格納する。メモリ１７０は、移動端末機１００において実行される多数の応用プログラム（ａｐｐｌｉｃａｔｉｏｎ  ｐｒｏｇｒａｍ）（または、アプリケーション（ａｐｐｌｉｃａｔｉｏｎ））、移動端末機１００の動作のためのデータ、命令語を格納することができる。このような応用プログラムのうちの少なくとも一部は、無線通信を介して外部サーバーからダウンロードされてもよい。また、このような応用プログラムのうちの少なくとも一部は、移動端末機１００の基本的な機能（例えば、電話着信、発信機能、メッセージ受信、発信機能）のために出庫時から移動端末機１００上に存在することができる。一方、応用プログラムは、メモリ１７０に格納され、移動端末機１００上にインストールされて、制御部１８０によって前記移動端末機の動作（または機能）を行うように実行されてもよい。
【００３４】
制御部１８０は、前記応用プログラムと関連する動作以外にも、通常、移動端末機１００の全般的な動作を制御する。制御部１８０は、上述した構成要素を介して入力または出力される信号、データ、情報などを処理したり、メモリ１７０に格納された応用プログラムを実行したりすることによって、ユーザに適切な情報又は機能を提供又は処理することができる。
【００３５】
また、制御部１８０は、メモリ１７０に格納された応用プログラムを実行するために、図１Ａと共に説明した構成要素のうちの少なくとも一部を制御することができる。さらに、制御部１８０は、前記応用プログラムの実行のために、移動端末機１００に含まれた構成要素のうちの少なくとも２つ以上を互いに組み合わせて動作させることができる。
【００３６】
電源供給部１９０は、制御部１８０の制御下で、外部の電源、内部の電源が印加されて、移動端末機１００に含まれた各構成要素に電源を供給する。このような電源供給部１９０はバッテリーを含み、前記バッテリーは、内蔵型バッテリーまたは交換可能な形態のバッテリーであってもよい。
【００３７】
前記各構成要素のうちの少なくとも一部は、以下で説明される様々な実施例に係る移動端末機の動作、制御、または制御方法を具現するために互いに協調して動作することができる。また、前記移動端末機の動作、制御、または制御方法は、前記メモリ１７０に格納された少なくとも１つの応用プログラムの実行によって移動端末機上で具現されてもよい。
【００３８】
以下では、上述した移動端末機１００を通じて具現される様々な実施例を説明するに先立ち、上記で列挙した構成要素について、図１Ａを参照してより具体的に説明する。
【００３９】
まず、無線通信部１１０について説明すると、無線通信部１１０の放送受信モジュール１１１は、放送チャネルを介して、外部の放送管理サーバーから放送信号及び／又は放送関連情報を受信する。前記放送チャネルは、衛星チャネル及び地上波チャネルを含むことができる。少なくとも２つの放送チャネルに対する同時放送受信または放送チャネルのスイッチングのために、２つ以上の前記放送受信モジュールが前記移動端末機１００に提供されてもよい。
【００４０】
移動通信モジュール１１２は、移動通信のための技術標準または通信方式（例えば、ＧＳＭ（登録商標）（Ｇｌｏｂａｌ  Ｓｙｓｔｅｍ  ｆｏｒ  Ｍｏｂｉｌｅ  ｃｏｍｍｕｎｉｃａｔｉｏｎ）、ＣＤＭＡ（Ｃｏｄｅ  Ｄｉｖｉｓｉｏｎ  Ｍｕｌｔｉ  Ａｃｃｅｓｓ）、ＣＤＭＡ２０００（Ｃｏｄｅ  Ｄｉｖｉｓｉｏｎ  Ｍｕｌｔｉ  Ａｃｃｅｓｓ２０００）、ＥＶ−ＤＯ（Ｅｎｈａｎｃｅｄ  Ｖｏｉｃｅ−Ｄａｔａ  Ｏｐｔｉｍｉｚｅｄ  ｏｒ  Ｅｎｈａｎｃｅｄ  Ｖｏｉｃｅ−Ｄａｔａ  Ｏｎｌｙ）、ＷＣＤＭＡ（登録商標）（Ｗｉｄｅｂａｎｄ  ＣＤＭＡ）、ＨＳＤＰＡ（Ｈｉｇｈ  Ｓｐｅｅｄ  Ｄｏｗｎｌｉｎｋ  Ｐａｃｋｅｔ  Ａｃｃｅｓｓ）、ＨＳＵＰＡ（Ｈｉｇｈ  Ｓｐｅｅｄ  Ｕｐｌｉｎｋ  Ｐａｃｋｅｔ  Ａｃｃｅｓｓ）、ＬＴＥ（Ｌｏｎｇ  Ｔｅｒｍ  Ｅｖｏｌｕｔｉｏｎ）、ＬＴＥ−Ａ（Ｌｏｎｇ  Ｔｅｒｍ  Ｅｖｏｌｕｔｉｏｎ−Ａｄｖａｎｃｅｄ）など）によって構築された移動通信網上で基地局、外部の端末、サーバーのうちの少なくとも１つと無線信号を送受信する。
【００４１】
前記無線信号は、音声呼信号、ビデオ通話呼信号、または文字／マルチメディアメッセージの送受信による様々な形態のデータを含むことができる。
【００４２】
無線インターネットモジュール１１３は、無線インターネット接続のためのモジュールを意味するもので、移動端末機１００に内蔵または外付けされてもよい。無線インターネットモジュール１１３は、無線インターネット技術による通信網で無線信号を送受信してもよい。
【００４３】
無線インターネット技術としては、例えば、ＷＬＡＮ（Ｗｉｒｅｌｅｓｓ  ＬＡＮ）、Ｗｉ−Ｆｉ（Ｗｉｒｅｌｅｓｓ−Ｆｉｄｅｌｉｔｙ）、Ｗｉ−Ｆｉ（Ｗｉｒｅｌｅｓｓ  Ｆｉｄｅｌｉｔｙ）Ｄｉｒｅｃｔ、ＤＬＮＡ（Ｄｉｇｉｔａｌ  Ｌｉｖｉｎｇ  Ｎｅｔｗｏｒｋ  Ａｌｌｉａｎｃｅ）、ＷｉＢｒｏ（Ｗｉｒｅｌｅｓｓ  Ｂｒｏａｄｂａｎｄ）、ＷｉＭＡＸ（Ｗｏｒｌｄ  Ｉｎｔｅｒｏｐｅｒａｂｉｌｉｔｙ  ｆｏｒ  Ｍｉｃｒｏｗａｖｅ  Ａｃｃｅｓｓ）、ＨＳＤＰＡ（Ｈｉｇｈ  Ｓｐｅｅｄ  Ｄｏｗｎｌｉｎｋ  Ｐａｃｋｅｔ  Ａｃｃｅｓｓ）、ＨＳＵＰＡ（Ｈｉｇｈ  Ｓｐｅｅｄ  Ｕｐｌｉｎｋ  Ｐａｃｋｅｔ  Ａｃｃｅｓｓ）、ＬＴＥ（Ｌｏｎｇ  Ｔｅｒｍ  Ｅｖｏｌｕｔｉｏｎ）、ＬＴＥ−Ａ（Ｌｏｎｇ  Ｔｅｒｍ  Ｅｖｏｌｕｔｉｏｎ−Ａｄｖａｎｃｅｄ）などがあり、前記無線インターネットモジュール１１３は、上記で列挙していないインターネット技術まで含む範囲において少なくとも１つの無線インターネット技術によってデータを送受信するようになる。
【００４４】
ＷｉＢｒｏ、ＨＳＤＰＡ、ＨＳＵＰＡ、ＧＳＭ（登録商標）、ＣＤＭＡ、ＷＣＤＭＡ（登録商標）、ＬＴＥ、ＬＴＥ−Ａなどによる無線インターネット接続は、移動通信網を介して行われるという観点で見ると、前記移動通信網を介して無線インターネット接続を行う前記無線インターネットモジュール１１３は、前記移動通信モジュール１１２の一種として理解することもできる。
【００４５】
近距離通信モジュール１１４は、近距離通信（Ｓｈｏｒｔ  ｒａｎｇｅ  ｃｏｍｍｕｎｉｃａｔｉｏｎ）のためのもので、ブルートゥース（Ｂｌｕｅｔｏｏｔｈ（登録商標））、ＲＦＩＤ（Ｒａｄｉｏ  Ｆｒｅｑｕｅｎｃｙ  Ｉｄｅｎｔｉｆｉｃａｔｉｏｎ）、赤外線通信（Ｉｎｆｒａｒｅｄ  Ｄａｔａ  Ａｓｓｏｃｉａｔｉｏｎ；ＩｒＤＡ）、ＵＷＢ（Ｕｌｔｒａ  Ｗｉｄｅｂａｎｄ）、ＺｉｇＢｅｅ、ＮＦＣ（Ｎｅａｒ  Ｆｉｅｌｄ  Ｃｏｍｍｕｎｉｃａｔｉｏｎ）、Ｗｉ−Ｆｉ（Ｗｉｒｅｌｅｓｓ−Ｆｉｄｅｌｉｔｙ）、Ｗｉ−Ｆｉ Ｄｉｒｅｃｔ、Ｗｉｒｅｌｅｓｓ ＵＳＢ（Ｗｉｒｅｌｅｓｓ  Ｕｎｉｖｅｒｓａｌ  Ｓｅｒｉａｌ  Ｂｕｓ）技術のうちの少なくとも１つを用いて、近距離通信を支援することができる。このような、近距離通信モジュール１１４は、近距離無線通信網（Ｗｉｒｅｌｅｓｓ  Ａｒｅａ  Ｎｅｔｗｏｒｋｓ）を介して、移動端末機１００と無線通信システムとの間、移動端末機１００と他の移動端末機１００との間、または移動端末機１００と他の移動端末機１００（または外部サーバー）が位置したネットワークとの間の無線通信を支援することができる。前記近距離無線通信網は、近距離無線個人通信網（Ｗｉｒｅｌｅｓｓ  Ｐｅｒｓｏｎａｌ  Ａｒｅａ  Ｎｅｔｗｏｒｋｓ）であってもよい。
【００４６】
ここで、他の移動端末機１００は、本発明に係る移動端末機１００とデータを互いに交換することが可能な（または、連動可能な）ウェアラブルデバイス（ｗｅａｒａｂｌｅ  ｄｅｖｉｃｅ）（例えば、スマートウォッチ（ｓｍａｒｔｗａｔｃｈ）、スマートグラス（ｓｍａｒｔ  ｇｌａｓｓｅｓ）、ＨＭＤ（ｈｅａｄ  ｍｏｕｎｔｅｄ  ｄｉｓｐｌａｙ））であってもよい。近距離通信モジュール１１４は、移動端末機１００の周辺に、前記移動端末機１００と通信可能なウェアラブルデバイスを感知（または認識）することができる。さらに、制御部１８０は、前記感知されたウェアラブルデバイスが本発明に係る移動端末機１００と通信するように認証されたデバイスである場合、移動端末機１００で処理されるデータの少なくとも一部を、前記近距離通信モジュール１１４を介してウェアラブルデバイスに伝送することができる。したがって、ウェアラブルデバイスのユーザは、移動端末機１００で処理されるデータを、ウェアラブルデバイスを通じて利用することができる。例えば、これによれば、ユーザは、移動端末機１００に電話が受信された場合、ウェアラブルデバイスを通じて通話を行うか、または移動端末機１００にメッセージが受信された場合、ウェアラブルデバイスを通じて前記受信されたメッセージを確認することが可能である。
【００４７】
位置情報モジュール１１５は、移動端末機の位置（または現在の位置）を獲得するためのモジュールであって、その代表的な例としては、ＧＰＳ（Ｇｌｏｂａｌ  Ｐｏｓｉｔｉｏｎｉｎｇ  Ｓｙｓｔｅｍ）モジュールまたはＷｉＦｉ（Ｗｉｒｅｌｅｓｓ  Ｆｉｄｅｌｉｔｙ）モジュールがある。例えば、移動端末機は、ＧＰＳモジュールを活用すると、ＧＰＳ衛星から送られる信号を用いて移動端末機の位置を獲得することができる。他の例として、移動端末機は、Ｗｉ−Ｆｉモジュールを活用すると、Ｗｉ−Ｆｉモジュールと無線信号を送信または受信する無線ＡＰ（Ｗｉｒｅｌｅｓｓ  Ａｃｃｅｓｓ  Ｐｏｉｎｔ）の情報に基づいて、移動端末機の位置を獲得することができる。必要に応じて、位置情報モジュール１１５は、置換または付加的に移動端末機の位置に関するデータを得るために、無線通信部１１０の他のモジュールのいずれかの機能を行うことができる。位置情報モジュール１１５は、移動端末機の位置（または、現在の位置）を獲得するために用いられるモジュールであって、移動端末機の位置を直接的に計算したり獲得するモジュールに限定されない。
【００４８】
次に、入力部１２０は、映像情報（または信号）、オーディオ情報（または信号）、データ、またはユーザから入力される情報の入力のためのものであって、映像情報の入力のために、移動端末機１００は、１つまたは複数のカメラ１２１を備えることができる。カメラ１２１は、ビデオ通話モードまたは撮影モードでイメージセンサによって得られる静止画または動画などの画像フレームを処理する。処理された画像フレームは、ディスプレイ部１５１に表示されるか、またはメモリ１７０に格納されてもよい。一方、移動端末機１００に備えられる複数のカメラ１２１は、マトリックス構造をなすように配置してもよく、このようにマトリックス構造をなすカメラ１２１を介して、移動端末機１００には様々な角度または焦点を有する複数の映像情報が入力されてもよい。また、複数のカメラ１２１は、立体映像を具現するための左映像及び右映像を獲得するように、ステレオ構造で配置してもよい。
【００４９】
マイクロホン１２２は、外部の音響信号を電気的な音声データとして処理する。処理された音声データは、移動端末機１００で実行中の機能（または、実行中の応用プログラム）によって様々に活用することができる。一方、マイクロホン１２２には、外部の音響信号が入力される過程で発生する雑音（ｎｏｉｓｅ）を除去するための様々な雑音除去アルゴリズムが具現され得る。
【００５０】
ユーザ入力部１２３は、ユーザからの情報の入力のためのものであって、ユーザ入力部１２３を介して情報が入力されると、制御部１８０は、入力された情報に対応するように移動端末機１００の動作を制御することができる。このような、ユーザ入力部１２３は、機械式（ｍｅｃｈａｎｉｃａｌ）入力手段（または、メカニカルキー、例えば、移動端末機１００の前／後面または側面に位置するボタン、ドームスイッチ（ｄｏｍｅ  ｓｗｉｔｃｈ）、ジョグホイール、ジョグスイッチなど）及びタッチ式入力手段を含むことができる。一例として、タッチ式入力手段は、ソフトウェア的な処理を通じてタッチスクリーンに表示される仮想キー（ｖｉｒｔｕａｌ  ｋｅｙ）、ソフトキー（ｓｏｆｔ  ｋｅｙ）またはビジュアルキー（ｖｉｓｕａｌ  ｋｅｙ）からなってもよく、前記タッチスクリーン以外の部分に配置されるタッチキー（ｔｏｕｃｈ  ｋｅｙ）からなってもよい。一方、前記仮想キーまたはビジュアルキーは、様々な形態を有しながらタッチスクリーン上に表示されることが可能であり、例えば、グラフィック（ｇｒａｐｈｉｃ）、テキスト（ｔｅｘｔ）、アイコン（ｉｃｏｎ）、ビデオ（ｖｉｄｅｏ）、またはこれらの組み合わせからなってもよい。
【００５１】
一方、センシング部１４０は、移動端末機内の情報、移動端末機を取り囲む周辺環境の情報及びユーザ情報のうちの少なくとも１つをセンシングし、これに対応するセンシング信号を発生させる。制御部１８０は、このようなセンシング信号に基づいて、移動端末機１００の駆動または動作を制御するか、または、移動端末機１００に設置された応用プログラムと関連するデータの処理、機能または動作を行うことができる。センシング部１４０に含まれ得る様々なセンサのうちの代表的なセンサについて、より具体的に説明する。
【００５２】
まず、近接センサ１４１は、所定の検出面に近づく物体、或いは、近傍に存在する物体の有無を、電磁界の力または赤外線などを用いて機械的接触なしに検出するセンサのことをいう。このような近接センサ１４１は、上述したタッチスクリーンによって囲まれる移動端末機の内部領域または前記タッチスクリーンの近くに配置されてもよい。
【００５３】
近接センサ１４１の例としては、透過型光電センサ、直接反射型光電センサ、ミラー反射型光電センサ、高周波発振型近接センサ、静電容量型近接センサ、磁気型近接センサ、赤外線近接センサなどがある。タッチスクリーンが静電式である場合に、近接センサ１４１は、伝導性を有する物体の近接による電界の変化から前記物体の近接を検出するように構成できる。この場合、タッチスクリーン（またはタッチセンサ）自体を近接センサとして分類することができる。
【００５４】
一方、説明の便宜のため、タッチスクリーン上に物体が接触しないながら近接して前記物体が前記タッチスクリーン上に位置することが認識されるようにする行為を、“近接タッチ（ｐｒｏｘｉｍｉｔｙ  ｔｏｕｃｈ）”と呼び、前記タッチスクリーン上に物体が実際に接触する行為を、“接触タッチ（ｃｏｎｔａｃｔ  ｔｏｕｃｈ）”と呼ぶ。前記タッチスクリーン上で物体が近接タッチされる位置とは、前記物体が近接タッチされる際に、前記物体が前記タッチスクリーンに対して垂直に対応する位置を意味する。前記近接センサ１４１は、近接タッチと、近接タッチパターン（例えば、近接タッチ距離、近接タッチ方向、近接タッチ速度、近接タッチ時間、近接タッチ位置、近接タッチ移動状態など）を感知することができる。一方、制御部１８０は、上記のように、近接センサ１４１を通じて感知された近接タッチ動作及び近接タッチパターンに相応するデータ（または情報）を処理し、さらに、処理されたデータに対応する視覚的な情報をタッチスクリーン上に出力することができる。さらに、制御部１８０は、タッチスクリーン上の同じ地点に対するタッチが近接タッチであるか、または接触タッチであるかに応じて、互いに異なる動作またはデータ（または情報）が処理されるように移動端末機１００を制御することができる。
【００５５】
タッチセンサは、抵抗膜方式、静電容量方式、赤外線方式、超音波方式、磁場方式などの種々のタッチ方式のうち少なくとも１つを用いて、タッチスクリーン（またはディスプレイ部１５１）に加わるタッチ（またはタッチ入力）を感知する。
【００５６】
一例として、タッチセンサは、タッチスクリーンの特定の部位に加えられた圧力、または特定の部位に発生する静電容量などの変化を電気的な入力信号に変換するように構成することができる。タッチセンサは、タッチスクリーン上にタッチを加えるタッチ対象体がタッチセンサ上にタッチされる位置、面積、タッチ時の圧力、タッチ時の静電容量などを検出できるように構成することができる。ここで、タッチ対象体は、前記タッチセンサにタッチを印加する物体であって、例えば、指、タッチペンまたはスタイラスペン（Ｓｔｙｌｕｓ  ｐｅｎ）、ポインタなどであってもよい。
【００５７】
このように、タッチセンサに対するタッチ入力がある場合、それに対応する信号はタッチ制御器に送られる。タッチ制御器は、その信号を処理した後、対応するデータを制御部１８０に伝送する。これによって、制御部１８０は、ディスプレイ部１５１のどの領域がタッチされたかなどを知ることができる。ここで、タッチ制御器は、制御部１８０と別途の構成要素であってもよく、制御部１８０自体であってもよい。
【００５８】
一方、制御部１８０は、タッチスクリーン（またはタッチスクリーン以外に備えられたタッチキー）をタッチするタッチ対象体の種類に応じて互いに異なる制御を行ったり、または同じ制御を行うことができる。タッチ対象体の種類に応じて互いに異なる制御を行うかまたは同じ制御を行うかは、現在の移動端末機１００の動作状態または実行中の応用プログラムによって決定され得る。
【００５９】
一方、上述したタッチセンサ及び近接センサは、独立してまたは組み合わされて、タッチスクリーンに対するショート（またはタップ）タッチ（ｓｈｏｒｔ  ｔｏｕｃｈ）、ロングタッチ（ｌｏｎｇ  ｔｏｕｃｈ）、マルチタッチ（ｍｕｌｔｉ  ｔｏｕｃｈ）、ドラッグタッチ（ｄｒａｇ  ｔｏｕｃｈ）、フリックタッチ（ｆｌｉｃｋ  ｔｏｕｃｈ）、ピンチ−インタッチ（ｐｉｎｃｈ−ｉｎ  ｔｏｕｃｈ）、ピンチ−アウトタッチ（ｐｉｎｃｈ−ｏｕｔ  ｔｏｕｃｈ）、スワイプ（ｓｗｙｐｅ）タッチ、ホバリング（ｈｏｖｅｒｉｎｇ）タッチなどのような様々な方式のタッチをセンシングすることができる。
【００６０】
超音波センサは、超音波を用いて感知対象の位置情報を認識することができる。一方、制御部１８０は、光センサ及び複数の超音波センサから感知される情報を通じて、波動発生源の位置を算出することが可能である。波動発生源の位置は、光が超音波よりも非常に速い性質、すなわち、光が光センサに到達する時間が、超音波が超音波センサに到達する時間よりも非常に速いことを用いて、算出することができる。より具体的には、光を基準信号として超音波が到達する時間との時間差を用いて波動発生源の位置を算出することができる。
【００６１】
一方、入力部１２０の構成として説明したカメラ１２１は、カメラセンサ（例えば、ＣＣＤ、ＣＭＯＳなど）、フォトセンサ（またはイメージセンサ）及びレーザーセンサのうちの少なくとも１つを含む。
【００６２】
カメラ１２１及びレーザーセンサは互いに組み合わされて、３次元立体映像に対する感知対象のタッチを感知することができる。フォトセンサは、ディスプレイ素子に積層されてもよく、このようなフォトセンサは、タッチスクリーンに近接した感知対象の動きをスキャニングするようになされる。より具体的には、フォトセンサは、行及び列にフォトダイオード（Ｐｈｏｔｏ Ｄｉｏｄｅ）及びトランジスタ（Ｔｒａｎｓｉｓｔｏｒ）を実装し、フォトダイオードに印加される光の量に応じて変化する電気的信号を用いて、フォトセンサ上に載置される内容物をスキャンする。すなわち、フォトセンサは、光の変化量による感知対象の座標計算を行い、これによって感知対象の位置情報を獲得することができる。
【００６３】
ディスプレイ部１５１は、移動端末機１００で処理される情報を表示（出力）する。例えば、ディスプレイ部１５１は、移動端末機１００で実行される応用プログラムの実行画面情報、または、このような実行画面情報によるＵＩ（Ｕｓｅｒ  Ｉｎｔｅｒｆａｃｅ）、ＧＵＩ（Ｇｒａｐｈｉｃ  Ｕｓｅｒ  Ｉｎｔｅｒｆａｃｅ）情報を表示することができる。
【００６４】
また、前記ディスプレイ部１５１は、立体映像を表示する立体ディスプレイ部として構成することができる。前記立体ディスプレイ部には、ステレオスコピック方式（メガネ方式）、オートステレオスコピック方式（裸眼方式）、プロジェクション方式（ホログラフィック方式）などの３次元ディスプレイ方式を適用することができる。
【００６５】
音響出力部１５２は、呼信号受信、通話モードまたは録音モード、音声認識モード、放送受信モードなどで無線通信部１１０から受信された、またはメモリ１７０に格納されたオーディオデータを出力することができる。音響出力部１５２は、移動端末機１００で行われる機能（例えば、呼信号受信音、メッセージ受信音など）と関連する音響信号を出力することもある。このような音響出力部１５２には、レシーバー（ｒｅｃｅｉｖｅｒ）、スピーカー（ｓｐｅａｋｅｒ）、ブザー（ｂｕｚｚｅｒ）などが含まれてもよい。
【００６６】
ハプティックモジュール（ｈａｐｔｉｃ  ｍｏｄｕｌｅ）１５３は、ユーザが感じることができる様々な触覚効果を発生させる。ハプティックモジュール１５３が発生させる触覚効果の代表的な例としては、振動を挙げることができる。ハプティックモジュール１５３で発生する振動の強度及びパターンなどは、ユーザの選択または制御部の設定によって制御可能である。例えば、前記ハプティックモジュール１５３は、互いに異なる振動を合成して出力したり、順次出力することもできる。
【００６７】
ハプティックモジュール１５３は、振動以外にも、接触皮膚面に対して垂直運動するピン配列、噴射口や吸入口を用いた空気の噴射力や吸入力、皮膚表面に対する擦れ、電極（ｅｌｅｃｔｒｏｄｅ）の接触、静電気力などの刺激による効果、及び吸熱や発熱が可能な素子を用いた冷温感の再現による効果などの様々な触覚効果を発生させることができる。
【００６８】
ハプティックモジュール１５３は、直接的な接触を通じて触覚効果を伝達できるだけでなく、ユーザが指や腕などの筋感覚を通じて触覚効果を感じることができるように具現することもできる。ハプティックモジュール１５３は、移動端末機１００の構成態様によって２つ以上備えられてもよい。
【００６９】
光出力部１５４は、移動端末機１００の光源の光を用いて、イベントの発生を知らせるための信号を出力する。移動端末機１００で発生するイベントの例としては、メッセージ受信、呼信号受信、不在着信、アラーム、スケジュール通知、Ｅメール受信、アプリケーションを介した情報受信などを挙げることができる。
【００７０】
光出力部１５４が出力する信号は、移動端末機が前面や後面に単色や複数の色の光を発光することによって具現される。前記信号出力は、移動端末機がユーザのイベント確認を感知することによって終了し得る。
【００７１】
インターフェース部１６０は、移動端末機１００に接続される全ての外部機器との経路の役割を果たす。インターフェース部１６０は、外部機器からデータを受信したり、電源が供給されて移動端末機１００の内部の各構成要素に伝達したり、または移動端末機１００の内部のデータが外部機器に伝送されるようにする。例えば、有／無線ヘッドセットポート（ｐｏｒｔ）、外部充電器ポート（ｐｏｒｔ）、有／無線データポート（ｐｏｒｔ）、メモリカード（ｍｅｍｏｒｙ  ｃａｒｄ）ポート（ｐｏｒｔ）、識別モジュールが備えられた装置を接続するポート（ｐｏｒｔ）、オーディオＩ／Ｏ（Ｉｎｐｕｔ／Ｏｕｔｐｕｔ）ポート（ｐｏｒｔ）、ビデオＩ／Ｏ（Ｉｎｐｕｔ／Ｏｕｔｐｕｔ）ポート（ｐｏｒｔ）、イヤホンポート（ｐｏｒｔ）などがインターフェース部１６０に含まれてもよい。
【００７２】
一方、識別モジュールは、移動端末機１００の使用権限を認証するための各種情報を格納したチップであって、ユーザ認証モジュール（ｕｓｅｒ  ｉｄｅｎｔｉｆｙ  ｍｏｄｕｌｅ；ＵＩＭ）、加入者認証モジュール（ｓｕｂｓｃｒｉｂｅｒ  ｉｄｅｎｔｉｔｙ  ｍｏｄｕｌｅ；ＳＩＭ）、汎用ユーザ認証モジュール（ｕｎｉｖｅｒｓａｌ  ｓｕｂｓｃｒｉｂｅｒ  ｉｄｅｎｔｉｔｙ  ｍｏｄｕｌｅ；ＵＳＩＭ）などを含むことができる。識別モジュールが備えられた装置（以下、‘識別装置’という）は、スマートカード（ｓｍａｒｔ  ｃａｒｄ）形式で作製してもよい。したがって、識別装置は、前記インターフェース部１６０を介して端末機１００と接続することができる。
【００７３】
また、前記インターフェース部１６０は、移動端末機１００が外部クレードル（ｃｒａｄｌｅ）と接続されるとき、前記クレードルからの電源が前記移動端末機１００に供給される経路となるか、または、ユーザによって前記クレードルから入力される各種命令信号が前記移動端末機１００に伝達される経路となり得る。前記クレードルから入力される各種命令信号または前記電源は、前記移動端末機１００が前記クレードルに正確に装着されたことを認知するための信号として動作することができる。
【００７４】
メモリ１７０は、制御部１８０の動作のためのプログラムを格納することができ、入／出力されるデータ（例えば、電話帳、メッセージ、静止画、動画など）を一時格納することもできる。前記メモリ１７０は、前記タッチスクリーン上のタッチ入力時に出力される様々なパターンの振動及び音響に関するデータを格納することができる。
【００７５】
メモリ１７０は、フラッシュメモリタイプ（ｆｌａｓｈ  ｍｅｍｏｒｙ  ｔｙｐｅ）、ハードディスクタイプ（ｈａｒｄ  ｄｉｓｋ  ｔｙｐｅ）、ＳＳＤタイプ（Ｓｏｌｉｄ  Ｓｔａｔｅ  Ｄｉｓｋ  ｔｙｐｅ）、ＳＤＤタイプ（Ｓｉｌｉｃｏｎ  Ｄｉｓｋ  Ｄｒｉｖｅ  ｔｙｐｅ）、マルチメディアカードマイクロタイプ（ｍｕｌｔｉｍｅｄｉａ  ｃａｒｄ  ｍｉｃｒｏ  ｔｙｐｅ）、カードタイプのメモリ（例えば、ＳＤまたはＸＤメモリなど）、ＲＡＭ（ｒａｎｄｏｍ  ａｃｃｅｓｓ  ｍｅｍｏｒｙ）、ＳＲＡＭ（ｓｔａｔｉｃ  ｒａｎｄｏｍ  ａｃｃｅｓｓ  ｍｅｍｏｒｙ）、ＲＯＭ（ｒｅａｄ−ｏｎｌｙ  ｍｅｍｏｒｙ）、ＥＥＰＲＯＭ（ｅｌｅｃｔｒｉｃａｌｌｙ  ｅｒａｓａｂｌｅ  ｐｒｏｇｒａｍｍａｂｌｅ  ｒｅａｄ−ｏｎｌｙ  ｍｅｍｏｒｙ）、ＰＲＯＭ（ｐｒｏｇｒａｍｍａｂｌｅ  ｒｅａｄ−ｏｎｌｙ  ｍｅｍｏｒｙ）、磁気メモリ、磁気ディスク及び光ディスクのうちの少なくとも１つのタイプの格納媒体を含むことができる。移動端末機１００は、インターネット（ｉｎｔｅｒｎｅｔ）上で前記メモリ１７０の格納機能を行うウェブストレージ（ｗｅｂ  ｓｔｏｒａｇｅ）と関連して動作することもできる。
【００７６】
一方、上述したように、制御部１８０は、応用プログラムと関連する動作、及び一般的に移動端末機１００の全般的な動作を制御する。例えば、制御部１８０は、前記移動端末機の状態が設定された条件を満足すると、アプリケーションに対するユーザの制御命令の入力を制限するロック状態を実行したり、解除したりすることができる。
【００７７】
また、制御部１８０は、音声通話、データ通信、ビデオ通話などと関連する制御及び処理を行うか、または、タッチスクリーン上で行われる手書き入力または手描き入力をそれぞれ文字及びイメージとして認識できるパターン認識処理を行うことができる。さらに、制御部１８０は、後述する様々な実施例を本発明に係る移動端末機１００上で具現するために、上述した構成要素のいずれか１つまたは複数を組み合わせて制御することができる。
【００７８】
電源供給部１９０は、制御部１８０の制御によって外部の電源、内部の電源が印加されて、各構成要素の動作に必要な電源を供給する。電源供給部１９０はバッテリーを含み、バッテリーは、充電の可能な内蔵型バッテリーであってもよく、充電などのために端末機ボディーに着脱可能に結合されてもよい。
【００７９】
また、電源供給部１９０は、接続ポートを備えることができ、接続ポートは、バッテリーの充電のために電源を供給する外部充電器が電気的に接続されるインターフェース１６０の一例として構成され得る。
【００８０】
他の例として、電源供給部１９０は、前記接続ポートを利用せずに無線方式でバッテリーを充電するように構成してもよい。この場合に、電源供給部１９０は、外部の無線電力伝送装置から、磁気誘導現象に基づいた誘導結合（Ｉｎｄｕｃｔｉｖｅ  Ｃｏｕｐｌｉｎｇ）方式や、電磁共振現象に基づいた共振結合（Ｍａｇｎｅｔｉｃ  Ｒｅｓｏｎａｎｃｅ  Ｃｏｕｐｌｉｎｇ）方式のいずれか１つ以上を用いて電力が伝達されてもよい。
【００８１】
一方、以下で説明される様々な実施例は、例えば、ソフトウェア、ハードウェア、またはこれらが組み合わされたものを用いてコンピュータまたはこれと類似の装置で読み取り可能な記録媒体内で具現できる。
【００８２】
図１Ｂ及び図１Ｃを参照すると、開示された移動端末機１００は、バー状の端末機ボディーを備えている。ただし、本発明は、これに限定されず、ウォッチタイプ、クリップタイプ、グラスタイプ、または２つ以上のボディーが相対移動可能に結合されるフォルダータイプ、フリップタイプ、スライドタイプ、スイングタイプ、スイベルタイプなどの様々な構造に適用されてもよい。移動端末機の特定の類型に関連するものや、移動端末機の特定の類型に関する説明は、他のタイプの移動端末機に一般的に適用することができる。
【００８３】
ここで、端末機ボディーは、移動端末機１００を少なくとも１つの集合体として見なし、これを示す概念として理解することができる。
【００８４】
移動端末機１００は、外観をなすケース（例えば、フレーム、ハウジング、カバーなど）を含む。図示のように、移動端末機１００は、フロントケース１０１とリアケース１０２を含むことができる。フロントケース１０１とリアケース１０２との結合により形成される内部空間には各種電子部品が配置される。フロントケース１０１とリアケース１０２との間には少なくとも１つのミドルケースがさらに配置されてもよい。
【００８５】
端末機ボディーの前面にはディスプレイ部１５１が配置されて情報を出力することができる。図示のように、ディスプレイ部１５１のウィンドウ１５１ａは、フロントケース１０１に装着されて、フロントケース１０１と共に端末機ボディーの前面を形成することができる。
【００８６】
場合によって、リアケース１０２にも電子部品を装着することができる。リアケース１０２に装着可能な電子部品は、着脱可能なバッテリー、識別モジュール、メモリカードなどがある。この場合、リアケース１０２には、装着された電子部品を覆うための後面カバー１０３が着脱可能に結合されてもよい。したがって、後面カバー１０３がリアケース１０２から分離されると、リアケース１０２に装着された電子部品は外部に露出される。
【００８７】
図示のように、後面カバー１０３がリアケース１０２に結合されると、リアケース１０２の側面の一部が露出し得る。場合によって、前記結合時にリアケース１０２は後面カバー１０３によって完全に遮られてもよい。一方、後面カバー１０３には、カメラ１２１ｂや音響出力部１５２ｂを外部に露出させるための開口部を備えることができる。
【００８８】
このようなケース１０１，１０２，１０３は、合成樹脂を射出して形成するか、または金属、例えば、ステンレススチール（ＳＴＳ）、アルミニウム（Ａｌ）、チタン（Ｔｉ）などで形成してもよい。
【００８９】
移動端末機１００は、複数のケースが各種の電子部品を収容する内部空間を設ける上記の例とは異なり、１つのケースが前記内部空間を設けるように構成してもよい。この場合、合成樹脂または金属が側面から後面に繋がるユニボディの移動端末機１００を具現することができる。
【００９０】
一方、移動端末機１００は、端末機ボディーの内部に水が浸透しないようにする防水部（図示せず）を備えることができる。例えば、防水部は、ウィンドウ１５１ａとフロントケース１０１との間、フロントケース１０１とリアケース１０２との間、またはリアケース１０２と後面カバー１０３との間に備えられて、これらの結合時に内部空間を密閉する防水部材を含むことができる。
【００９１】
移動端末機１００には、ディスプレイ部１５１、第１及び第２音響出力部１５２ａ，１５２ｂ、近接センサ１４１、照度センサ１４２、光出力部１５４、第１及び第２カメラ１２１ａ，１２１ｂ、第１及び第２操作ユニット１２３ａ，１２３ｂ、マイクロホン１２２、インターフェース部１６０などを備えることができる。
【００９２】
以下では、図１Ｂ及び図１Ｃに示したように、端末機ボディーの前面にディスプレイ部１５１、第１音響出力部１５２ａ、近接センサ１４１、照度センサ１４２、光出力部１５４、第１カメラ１２１ａ及び第１操作ユニット１２３ａが配置され、端末機ボディーの側面に第２操作ユニット１２３ｂ、マイクロホン１２２及びインターフェース部１６０が配置され、端末機ボディーの後面に第２音響出力部１５２ｂ及び第２カメラ１２１ｂが配置された移動端末機１００を一例に挙げて説明する。
【００９３】
ただし、これら構成はこのような配置に限定されるものではない。これら構成は、必要に応じて、除外または代替されたり、他の面に配置されてもよい。例えば、端末機ボディーの前面には第１操作ユニット１２３ａを備えなくてもよく、第２音響出力部１５２ｂは端末機ボディーの後面ではなく端末機ボディーの側面に備えてもよい。
【００９４】
ディスプレイ部１５１は、移動端末機１００において処理される情報を表示（出力）する。例えば、ディスプレイ部１５１は、移動端末機１００で実行される応用プログラムの実行画面情報、またはこのような実行画面情報によるＵＩ（Ｕｓｅｒ  Ｉｎｔｅｒｆａｃｅ）、ＧＵＩ（Ｇｒａｐｈｉｃ  Ｕｓｅｒ  Ｉｎｔｅｒｆａｃｅ）情報を表示することができる。
【００９５】
ディスプレイ部１５１は、液晶ディスプレイ（ｌｉｑｕｉｄ  ｃｒｙｓｔａｌ  ｄｉｓｐｌａｙ、ＬＣＤ）、薄膜トランジスタ液晶ディスプレイ（ｔｈｉｎ  ｆｉｌｍ  ｔｒａｎｓｉｓｔｏｒ−ｌｉｑｕｉｄ  ｃｒｙｓｔａｌ  ｄｉｓｐｌａｙ、ＴＦＴ  ＬＣＤ）、有機発光ダイオード（ｏｒｇａｎｉｃ  ｌｉｇｈｔ−ｅｍｉｔｔｉｎｇ  ｄｉｏｄｅ、ＯＬＥＤ）、フレキシブルディスプレイ（ｆｌｅｘｉｂｌｅ  ｄｉｓｐｌａｙ）、３次元ディスプレイ（３Ｄ  ｄｉｓｐｌａｙ）、電子インクディスプレイ（ｅ−ｉｎｋ  ｄｉｓｐｌａｙ）のうちの少なくとも１つを含むことができる。
【００９６】
また、ディスプレイ部１５１は、移動端末機１００の具現形態に応じて２つ以上存在することができる。この場合、移動端末機１００には、複数のディスプレイ部が１つの面に離隔して配置されるか、または一体的に配置されてもよく、また、互いに異なる面にそれぞれ配置されてもよい。
【００９７】
ディスプレイ部１５１は、タッチ方式により制御命令が入力され得るように、ディスプレイ部１５１に対するタッチを感知するタッチセンサを含むことができる。これを用いて、ディスプレイ部１５１に対してタッチが行われると、タッチセンサは前記タッチを感知し、制御部１８０は、これに基づいて前記タッチに対応する制御命令を発生させるように構成することができる。タッチ方式により入力される内容は、文字又は数字であるか、または、各種モードでの指示又は指定可能なメニュー項目などであってもよい。
【００９８】
一方、タッチセンサは、タッチパターンを備えるフィルムの形態で構成されて、ウィンドウ１５１ａとウィンドウ１５１ａの背面上のディスプレイ（図示せず）との間に配置されるか、またはウィンドウ１５１ａの背面に直接パターニングされるメタルワイヤであってもよい。または、タッチセンサは、ディスプレイと一体に形成されてもよい。例えば、タッチセンサは、ディスプレイの基板上に配置されるか、またはディスプレイの内部に備えられてもよい。
【００９９】
このように、ディスプレイ部１５１は、タッチセンサと共にタッチスクリーンを形成することができ、この場合にタッチスクリーンはユーザ入力部１２３（図１Ａ参照）として機能することができる。場合によって、タッチスクリーンは、第１操作ユニット１２３ａの少なくとも一部の機能を代替することができる。
【０１００】
第１音響出力部１５２ａは、通話音をユーザの耳に伝達するレシーバ（ｒｅｃｅｉｖｅｒ）として具現することができ、第２音響出力部１５２ｂは、各種アラーム音やマルチメディアの再生音を出力するラウドスピーカ（ｌｏｕｄ  ｓｐｅａｋｅｒ）の形態で具現することができる。
【０１０１】
ディスプレイ部１５１のウィンドウ１５１ａには、第１音響出力部１５２ａから発生するサウンドの放出のための音響孔を形成することができる。ただし、本発明がこれに限定されるものではなく、前記サウンドは、構造物間の組立隙間（例えば、ウィンドウ１５１ａとフロントケース１０１との間の隙間）に沿って放出されるように構成してもよい。この場合、外観上、音響出力のために独立して形成される孔が見えないか、または隠されることで、移動端末機１００の外観をよりシンプルにすることができる。
【０１０２】
光出力部１５４は、イベントの発生時にこれを知らせるための光を出力するように構成される。前記イベントの例としては、メッセージ受信、呼信号受信、不在着信、アラーム、スケジュール通知、Ｅメール受信、アプリケーションを介した情報受信などを挙げることができる。制御部１８０は、ユーザのイベント確認が感知されると、光の出力が終了するように光出力部１５４を制御することができる。
【０１０３】
第１カメラ１２１ａは、撮影モード又はビデオ通話モードでイメージセンサによって得られる静止画又は動画の画像フレームを処理する。処理された画像フレームはディスプレイ部１５１に表示することができ、メモリ１７０に格納することができる。
【０１０４】
第１及び第２操作ユニット１２３ａ，１２３ｂは、移動端末機１００の動作を制御するための命令の入力のために操作されるユーザ入力部１２３の一例であって、操作部（ｍａｎｉｐｕｌａｔｉｎｇ  ｐｏｒｔｉｏｎ）と呼ぶこともできる。第１及び第２操作ユニット１２３ａ，１２３ｂは、タッチ、プッシュ、スクロールなど、ユーザが触覚的に感じながら操作する方式（ｔａｃｔｉｌｅ  ｍａｎｎｅｒ）であれば、いかなる方式を採用してもよい。また、第１及び第２操作ユニット１２３ａ，１２３ｂは、近接タッチ（ｐｒｏｘｉｍｉｔｙ  ｔｏｕｃｈ）、ホバリング（ｈｏｖｅｒｉｎｇ）タッチなどを通じてユーザが触覚的に感じることなく操作するようになる方式を採用してもよい。
【０１０５】
本図では、第１操作ユニット１２３ａがタッチキー（ｔｏｕｃｈ  ｋｅｙ）である場合を例示しているが、本発明がこれに限定されるものではない。例えば、第１操作ユニット１２３ａは、プッシュキー（ｍｅｃｈａｎｉｃａｌ  ｋｅｙ）であってもよく、またはタッチキーとプッシュキーとの組み合わせで構成されてもよい。
【０１０６】
第１及び第２操作ユニット１２３ａ，１２３ｂによって入力される内容は様々に設定することができる。例えば、第１操作ユニット１２３ａは、メニュー、ホームキー、取り消し、検索などの命令が入力され、第２操作ユニット１２３ｂは、第１又は第２音響出力部１５２ａ，１５２ｂから出力される音響の大きさの調節、ディスプレイ部１５１のタッチ認識モードへの切り替えなどの命令が入力されてもよい。
【０１０７】
一方、端末機ボディーの後面には、ユーザ入力部１２３の他の一例として、後面入力部（図示せず）を備えてもよい。このような後面入力部は、移動端末機１００の動作を制御するための命令の入力のために操作されるもので、入力される内容は様々に設定することができる。例えば、電源のオン／オフ、起動、終了、スクロールなどのような命令、第１及び第２音響出力部１５２ａ，１５２ｂから出力される音響の大きさの調節、ディスプレイ部１５１のタッチ認識モードへの切り替えなどのような命令が入力されてもよい。後面入力部は、タッチ入力、プッシュ入力、またはこれらの組み合わせによる入力が可能な形態で具現することができる。
【０１０８】
後面入力部は、端末機ボディーの厚さ方向に前面のディスプレイ部１５１と重なるように配置することができる。一例として、ユーザが端末機ボディーを片手でつかんだとき、人指し指を用いて容易に操作可能なように、後面入力部は端末機ボディーの後面の上端部に配置することができる。ただし、本発明がこれに限定されるものではなく、後面入力部の位置は変更可能である。
【０１０９】
このように、端末機ボディーの後面に後面入力部が備えられる場合、これを用いた新しい形態のユーザインターフェースを具現することができる。また、上述したタッチスクリーンまたは後面入力部が、端末機ボディーの前面に備えられる第１操作ユニット１２３ａの少なくとも一部の機能を代替することで、端末機ボディーの前面に第１操作ユニット１２３ａが配置されない場合、ディスプレイ部１５１をより大画面として構成することができる。
【０１１０】
一方、移動端末機１００には、ユーザの指紋を認識する指紋認識センサが備えられてもよく、制御部１８０は、指紋認識センサによって感知される指紋情報を認証手段として用いることができる。前記指紋認識センサは、ディスプレイ部１５１またはユーザ入力部１２３に内蔵されてもよい。
【０１１１】
マイクロホン１２２は、ユーザの音声、その他の音などが入力されるように構成される。マイクロホン１２２は複数の個所に備えられて、ステレオ音響が入力されるように構成してもよい。
【０１１２】
インターフェース部１６０は、移動端末機１００を外部機器と接続することができる経路となる。例えば、インターフェース部１６０は、他の装置（例えば、イヤホン、外付けスピーカー）との接続のための接続端子、近距離通信のためのポート（例えば、赤外線ポート（ＩｒＤＡ  Ｐｏｒｔ）、ブルートゥースポート（Ｂｌｕｅｔｏｏｔｈ（登録商標）  Ｐｏｒｔ）、無線ＬＡＮポート（Ｗｉｒｅｌｅｓｓ  ＬＡＮ  Ｐｏｒｔ）など）、または移動端末機１００に電源を供給するための電源供給端子のうちの少なくとも１つであってもよい。このようなインターフェース部１６０は、ＳＩＭ（Ｓｕｂｓｃｒｉｂｅｒ  Ｉｄｅｎｔｉｆｉｃａｔｉｏｎ  Ｍｏｄｕｌｅ）またはＵＩＭ（Ｕｓｅｒ  Ｉｄｅｎｔｉｔｙ  Ｍｏｄｕｌｅ）、情報の格納のためのメモリカードなどの外付け型カードを収容するソケットの形態で具現されてもよい。
【０１１３】
端末機ボディーの後面には第２カメラ１２１ｂを配置することができる。この場合、第２カメラ１２１ｂは、第１カメラ１２１ａと実質的に反対の撮影方向を有することになる。
【０１１４】
第２カメラ１２１ｂは、少なくとも１つのラインに沿って配列される複数のレンズを含むことができる。複数のレンズは行列（ｍａｔｒｉｘ）形式で配列されてもよい。このようなカメラは、‘アレイ（ａｒｒａｙ）カメラ’と呼ぶことができる。第２カメラ１２１ｂがアレイカメラで構成される場合、複数のレンズを用いて様々な方式で映像を撮影することができ、より良い品質の映像を獲得することができる。
【０１１５】
フラッシュ１２４は、第２カメラ１２１ｂに隣接して配置することができる。フラッシュ１２４は、第２カメラ１２１ｂで被写体を撮影する場合に被写体に向かって光を照らすようになる。
【０１１６】
端末機ボディーには第２音響出力部１５２ｂをさらに配置することができる。第２音響出力部１５２ｂは、第１音響出力部１５２ａと共にステレオ機能を具現することができ、通話時にスピーカーフォンモードの具現のために使用することもできる。
【０１１７】
端末機ボディーには、無線通信のための少なくとも１つのアンテナを備えることができる。アンテナは、端末機ボディーに内蔵されるか、またはケースに形成されてもよい。例えば、放送受信モジュール１１１（図１Ａ参照）の一部をなすアンテナは、端末機ボディーから引き出し可能に構成することができる。または、アンテナは、フィルムタイプで形成されて後面カバー１０３の内側面に付着されてもよく、導電性材質を含むケースがアンテナとして機能するように構成してもよい。
【０１１８】
端末機ボディーには、移動端末機１００に電源を供給するための電源供給部１９０（図１Ａ参照）が備えられる。電源供給部１９０は、端末機ボディーに内蔵されるか、または端末機ボディーの外部から着脱可能に構成されるバッテリー１９１を含むことができる。
【０１１９】
バッテリー１９１は、インターフェース部１６０に接続される電源ケーブルを介して電源が供給されるように構成することができる。また、バッテリー１９１は、無線充電機器を介して無線充電可能なように構成してもよい。前記無線充電は、磁気誘導方式または共振方式（磁気共鳴方式）により具現することができる。
【０１２０】
一方、本図では、後面カバー１０３がバッテリー１９１を覆うようにリアケース１０２に結合されることで、バッテリー１９１の離脱を制限し、バッテリー１９１を外部の衝撃と異物から保護するように構成された場合を例示している。バッテリー１９１が端末機ボディーに着脱可能に構成される場合、後面カバー１０３はリアケース１０２に着脱可能に結合され得る。
【０１２１】
移動端末機１００には、外観を保護したり、移動端末機１００の機能を補助または拡張させたりするアクセサリーを追加することができる。このようなアクセサリーの一例として、移動端末機１００の少なくとも一面を覆うまたは収容するカバーまたはパウチを挙げることができる。カバーまたはパウチは、ディスプレイ部１５１と連動して移動端末機１００の機能を拡張させるように構成することができる。アクセサリーの他の一例として、タッチスクリーンに対するタッチ入力を補助または拡張するためのタッチペンを挙げることができる。
【０１２２】
一方、本発明では、移動端末機において処理される情報をフレキシブルディスプレイ（ｆｌｅｘｉｂｌｅ  ｄｉｓｐｌａｙ）を用いて表示することができる。以下、添付の図面に基づいて、これについてより具体的に説明する。
【０１２３】
図２は、本発明に係る変形可能な移動端末機２００の他の例を説明するための概念図である。
【０１２４】
図示のように、ディスプレイ部２５１は、外力によって変形可能なように構成することができる。前記変形は、ディスプレイ部２５１の反り、曲がり、折り畳み、ねじり、巻きのうちの少なくとも１つであってもよい。このような変形可能なディスプレイ部２５１は、‘フレキシブルディスプレイ部’と呼ぶことができる。ここで、フレキシブルディスプレイ部２５１は、一般的なフレキシブルディスプレイ、ｅ−ペーパー（ｅ−ｐａｐｅｒ）及びその組み合わせを全て含むことができる。一般に、移動端末機２００は、図１Ａ乃至図１Ｃの移動端末機１００の特徴またはそれと類似の特徴を含むことができる。
【０１２５】
一般的なフレキシブルディスプレイは、既存の平板ディスプレイの特性を維持しながら、紙のように反り、曲がり、折り畳み、ねじりまたは巻くことが可能な薄くて柔軟な基板上に作製されて、軽くて、容易に割れない丈夫なディスプレイのことをいう。
【０１２６】
また、ｅ−ペーパーは、一般的なインクの特徴を適用したディスプレイ技術であって、反射光を使用する点が既存の平板ディスプレイと異なる点といえる。ｅ−ペーパーは、ツイストボールを用いたり、カプセルを用いた電気泳動（ｅｌｅｃｔｒｏｐｈｏｒｅｓｉｓ）を用いたりして、情報を変更することができる。
【０１２７】
フレキシブルディスプレイ部２５１が変形していない状態（例えば、無限大の曲率半径を有する状態、以下、‘第１状態’という）で、フレキシブルディスプレイ部２５１のディスプレイ領域は平面となる。前記第１状態から外力により変形した状態（例えば、有限の曲率半径を有する状態、以下、‘第２状態’という）では、前記ディスプレイ領域が曲面となり得る。図示したように、前記第２状態で表示される情報は、曲面上に出力される視覚情報であり得る。このような視覚情報は、マトリクス状に配置される単位画素（ｓｕｂ−ｐｉｘｅｌ）の発光が独自に制御されることによって具現される。前記単位画素は、１つの色を具現するための最小単位を意味する。
【０１２８】
フレキシブルディスプレイ部２５１は、前記第１状態から平らな状態ではなく、曲がった状態（例えば、上下または左右に曲がった状態）になり得る。この場合、フレキシブルディスプレイ部２５１に外力が加わると、フレキシブルディスプレイ部２５１は、平らな状態（または、より少なく曲がった状態）または、より一層曲がった状態に変形することができる。
【０１２９】
一方、フレキシブルディスプレイ部２５１は、タッチセンサと組み合わされてフレキシブルタッチスクリーンを具現することができる。フレキシブルタッチスクリーンに対してタッチが発生すると、制御部１８０（図１Ａ参照）は、このようなタッチ入力に相応する制御を行うことができる。フレキシブルタッチスクリーンは、前記第１状態だけでなく前記第２状態でもタッチ入力を感知するように構成することができる。
【０１３０】
一方、本変形例に係る移動端末機２００には、フレキシブルディスプレイ部２５１の変形を感知できる変形感知手段を備えることができる。このような変形感知手段は、センシング部１４０（図１Ａ参照）に含まれてもよい。
【０１３１】
前記変形感知手段は、フレキシブルディスプレイ部２５１またはケース２０１に備えられ、フレキシブルディスプレイ部２５１の変形と関連する情報を感知することができる。ここで、変形と関連する情報は、フレキシブルディスプレイ部２５１が変形した方向、変形した程度、変形した位置、変形した時間及び変形したフレキシブルディスプレイ部２５１が復元される加速度などであってもよく、その他にも、フレキシブルディスプレイ部２５１の反りによって感知可能な様々な情報であってもよい。
【０１３２】
また、制御部１８０は、前記変形感知手段によって感知されるフレキシブルディスプレイ部２５１の変形と関連する情報に基づいて、フレキシブルディスプレイ部２５１上に表示される情報を変更したり、移動端末機２００の機能を制御するための制御信号を生成することができる。
【０１３３】
一方、本変形例に係る移動端末機２００は、フレキシブルディスプレイ部２５１を収容するケース２０１を含むことができる。ケース２０１は、フレキシブルディスプレイ部２５１の特性を考慮して、外力によってフレキシブルディスプレイ部２５１と共に変形可能なように構成することができる。
【０１３４】
なお、移動端末機２００に備えられるバッテリー（図示せず）もまたフレキシブルディスプレイ部２５１の特性を考慮して、外力によってフレキシブルディスプレイ部２５１と共に変形可能なように構成することができる。前記バッテリーを具現するために、バッテリーセルを上方に積層するスタックアンドフォールディング（ｓｔａｃｋ  ａｎｄ  ｆｏｌｄｉｎｇ）方式を適用することができる。
【０１３５】
フレキシブルディスプレイ部２５１の状態の変形は外力によるものに限定されない。例えば、フレキシブルディスプレイ部２５１が第１状態にあるとき、ユーザまたはアプリケーションの命令によって、第２状態に変形することも可能である。
【０１３６】
一方、移動端末機は、ユーザが主に手で持って使用する次元を超えて、身体に着用できるウェアラブルデバイス（ｗｅａｒａｂｌｅ  ｄｅｖｉｃｅ）に拡張することができる。このようなウェアラブルデバイスとしては、スマートウォッチ（ｓｍａｒｔｗａｔｃｈ）、スマートグラス（ｓｍａｒｔ  ｇｌａｓｓｅｓ）、ＨＭＤ（ｈｅａｄ  ｍｏｕｎｔｅｄ  ｄｉｓｐｌａｙ）などがある。以下、ウェアラブルデバイスに拡張された移動端末機の例について説明する。
【０１３７】
ウェアラブルデバイスは、他の移動端末機１００とデータを相互交換（または連動）可能に構成することができる。近距離通信モジュール１１４は、移動端末機１００の周辺の通信可能なウェアラブルデバイスを感知（または認識）することができる。さらに、制御部１８０は、感知されたウェアラブルデバイスが、移動端末機１００と通信するように認証されたデバイスである場合、移動端末機１００で処理されるデータの少なくとも一部を、近距離通信モジュール１１４を介してウェアラブルデバイスに伝送することができる。したがって、ユーザは、移動端末機１００で処理されるデータを、ウェアラブルデバイスを通じて利用することができる。例えば、移動端末機１００に電話が受信された場合、ウェアラブルデバイスを通じて通話を行うか、または、移動端末機１００にメッセージが受信された場合、ウェアラブルデバイスを通じて前記受信されたメッセージを確認することが可能である。
【０１３８】
図３は、本発明の他の一実施例と関連するウォッチタイプの移動端末機３００の一例を示す斜視図である。
【０１３９】
図３を参照すると、ウォッチタイプの移動端末機３００は、ディスプレイ部３５１を備える本体３０１と、本体３０１に連結されて手首に着用可能なように構成されるバンド３０２とを含む。一般に、移動端末機３００は、図１Ａ乃至図１Ｃの移動端末機１００の特徴、またはそれと類似の特徴を含むことができる。
【０１４０】
本体３０１は、外観を形成するケースを含む。図示のように、ケースは、各種電子部品を収容する内部空間を設ける第１ケース３０１ａ及び第２ケース３０１ｂを含むことができる。ただし、本発明はこれに限定されるものではなく、１つのケースが前記内部空間を設けるように構成し、ユニボディの移動端末機３００を具現してもよい。
【０１４１】
ウォッチタイプの移動端末機３００は、無線通信が可能なように構成され、本体３０１には、前記無線通信のためのアンテナを設置することができる。一方、アンテナは、ケースを用いてその性能を拡張させることができる。例えば、導電性材質を含むケースがアンテナと電気的に接続されて、グラウンド領域または放射領域を拡張させるように構成することができる。
【０１４２】
本体３０１の前面にはディスプレイ部３５１が配置されて情報を出力することができ、ディスプレイ部３５１にはタッチセンサが備えられてタッチスクリーンとして具現することができる。図示のように、ディスプレイ部３５１のウィンドウ３５１ａは第１ケース３０１ａに装着され、第１ケース３０１ａと共に端末機ボディーの前面を形成することができる。
【０１４３】
本体３０１には、音響出力部３５２、カメラ３２１、マイクロホン３２２、ユーザ入力部３２３などを備えることができる。ディスプレイ部３５１がタッチスクリーンとして具現される場合、ユーザ入力部３２３として機能することができ、これによって、本体３０１に別途のキーを備えなくてもよい。
【０１４４】
バンド３０２は、手首に装着して手首を巻くように構成され、着用が容易なようにフレキシブルな材質で形成することができる。そのような例として、バンド３０２は、革、ゴム、シリコン、合成樹脂材質などで形成することができる。また、バンド３０２は、本体３０１に着脱可能に構成され、ユーザが趣向によって様々な形態のバンドに交換可能に構成することができる。
【０１４５】
一方、バンド３０２は、アンテナの性能を拡張させるのに利用することができる。例えば、バンドには、アンテナと電気的に接続されてグラウンド領域を拡張させるグラウンド拡張部（図示せず）が内蔵されてもよい。
【０１４６】
バンド３０２にはファスナー（ｆａｓｔｅｎｅｒ）３０２ａを備えてもよい。ファスナー３０２ａは、バックル（ｂｕｃｋｌｅ）、スナップフィット（ｓｎａｐ−ｆｉｔ）が可能なフック（ｈｏｏｋ）構造、またはベルクロ（登録商標）（ｖｅｌｃｒｏ（登録商標））などによって具現することができて、伸縮性のある区間または材質を含むことができる。本図では、ファスナー３０２ａがバックルの形態で具現された例を提示している。
【０１４７】
図４は、本発明の更に他の一実施例と関連するグラスタイプの移動端末機４００の一例を示す斜視図である。
【０１４８】
グラスタイプの移動端末機４００は、人体の頭部に着用可能なように構成され、そのためのフレーム部（ケース、ハウジングなど）を備えることができる。フレーム部は、着用が容易なようにフレキシブルな材質で形成することができる。本図では、フレーム部が、互いに異なる材質の第１フレーム４０１及び第２フレーム４０２を含む場合を例示している。一般に、移動端末機４００は、図１Ａ乃至図１Ｃの移動端末機１００の特徴またはそれと類似の特徴を含むことができる。
【０１４９】
フレーム部は、頭部に支持され、各種部品が装着される空間を設ける。図示のように、フレーム部には、制御モジュール４８０、音響出力モジュール４５２などのような電子部品を装着してもよい。また、フレーム部には、左眼及び右眼のうちの少なくとも１つを覆うレンズ４０３が着脱可能に装着されてもよい。
【０１５０】
制御モジュール４８０は、移動端末機４００に備えられる各種電子部品を制御するように構成される。制御モジュール４８０は、上述した制御部１８０に対応する構成として理解することができる。本図では、制御モジュール４８０が一側頭部上のフレーム部に設置された場合を例示している。しかし、制御モジュール４８０の位置はこれに限定されない。
【０１５１】
ディスプレイ部４５１は、ヘッドマウントディスプレイ（Ｈｅａｄ  Ｍｏｕｎｔｅｄ  Ｄｉｓｐｌａｙ、ＨＭＤ）形態で具現することができる。ＨＭＤ形態とは、頭部に装着され、ユーザの目の前に直接映像を見せるディスプレイ方式のことをいう。ユーザがグラスタイプの移動端末機４００を着用したとき、ユーザの目の前に直接映像を提供できるように、ディスプレイ部４５１は、左眼及び右眼のうちの少なくとも１つに対応するように配置することができる。本図では、ユーザの右眼に向かって映像を出力できるように、ディスプレイ部４５１が右眼に対応する部分に位置した場合を例示している。
【０１５２】
ディスプレイ部４５１は、プリズムを用いてユーザの目にイメージを投射することができる。また、ユーザが、投射されたイメージと前方の一般視野（ユーザが目で見る範囲）とを共に見られるように、プリズムは、透光性を有することができる。
【０１５３】
このように、ディスプレイ部４５１を通じて出力される映像は、一般視野とオーバーラップ（ｏｖｅｒｌａｐ）されて示され得る。移動端末機４００は、このようなディスプレイの特性を用いて、現実のイメージや背景に仮想イメージを重ねて１つの映像として見せる拡張現実（Ａｕｇｍｅｎｔｅｄ  Ｒｅａｌｉｔｙ、ＡＲ）を提供することができる。
【０１５４】
カメラ４２１は、左眼及び右眼のうちの少なくとも１つに隣接するように配置され、前方の映像を撮影するように形成される。カメラ４２１が目に隣接して位置するので、カメラ４２１は、ユーザが見ている場面を映像として獲得することができる。
【０１５５】
本図では、カメラ４２１が制御モジュール４８０に備えられた場合を例示しているが、必ずしもこれに限定されるものではない。カメラ４２１は、前記フレーム部に設置してもよく、複数備えて立体映像を獲得するように構成してもよい。
【０１５６】
グラスタイプの移動端末機４００は、制御命令の入力のために操作されるユーザ入力部４２３ａ，４２３ｂを備えることができる。ユーザ入力部４２３ａ，４２３ｂは、タッチ、プッシュなど、ユーザが触覚的に感じながら操作する方式（ｔａｃｔｉｌｅ  ｍａｎｎｅｒ）であれば、いかなる方式を採用してもよい。本図では、フレーム部及び制御モジュール４８０にそれぞれプッシュ及びタッチ入力方式のユーザ入力部４２３ａ，４２３ｂが備えられた場合を例示している。
【０１５７】
また、グラスタイプの移動端末機４００には、サウンドが入力されて電気的な音声データとして処理するマイクロホン（図示せず）、及び音響を出力する音響出力モジュール４５２を備えることができる。音響出力モジュール４５２は、一般的な音響出力方式または骨伝導方式で音響を伝達するように構成することができる。音響出力モジュール４５２が骨伝導方式で具現される場合、ユーザが移動端末機４００を着用する際に、音響出力モジュール４５２は頭部に密着し、頭蓋骨を振動させて音響を伝達するようになる。
【０１５８】
以下では、このように構成された移動端末機において具現できる制御方法及び関連する実施例について、添付の図面を参照して説明する。本発明は、本発明の精神及び必須の特徴を逸脱しない範囲で他の特定の形態で具体化できるということは当業者にとっては自明である。
【０１５９】
以下では、図５乃至図２１を参照して本発明の実施例を説明する。以下で本発明の実施例を説明及び理解するにおいて、図１乃至図４と関連して上述した内容が参考されてもよい。また、上述した移動端末機は、本発明の一実施例による移動端末機であってもよい。
【０１６０】
図５は、本発明の一実施例による移動端末機の構成モジュールを示すブロック図である。
【０１６１】
本発明の一実施例による移動端末機は、ディスプレイ部５１０、センシング部５２０、コミュニケーション部５３０、制御部５４０などを含むことができる。図５に示した構成モジュール、及び図５に示していないその他の構成モジュールは、図１乃至図４を参照することができる。
【０１６２】
ディスプレイ部５１０は、ビジュアル情報をディスプレイすることができる。ここで、ビジュアル情報は、コンテンツ、アプリケーション、イメージ、動画などを含むことができる。また、ディスプレイ部５１０は、制御部５４０の制御命令に基づいてビジュアル情報をスクリーンに出力することができる。本発明において、ディスプレイ部５１０は、図１Ａのディスプレイ部１５１として具現されてもよい。
【０１６３】
センシング部５２０は、ユーザの様々な入力及び移動端末機の環境をセンシングし、制御部５４０がそれによる動作を行うことができるように、センシング結果を伝達することができる。本発明において、センシング部５２０は、図１Ａのセンシング部１４０として具現されてもよい。
【０１６４】
コミュニケーション部５３０は、外部デジタルデバイスと様々なプロトコルを用いて通信を行い、データを送受信することができる。また、コミュニケーション部５３０は、有線または無線でネットワークに接続して、コンテンツなどのデジタルデータを送受信することができる。本発明において、コミュニケーション部５３０は、図１Ａの近距離通信モジュール１１４として具現されてもよい。一実施例として、コミュニケーション部５３０は、外部デジタルデバイス５５０から、外部デジタルデバイス５５０の使用モードを示す信号を受信することができる。
【０１６５】
制御部５４０は、データをプロセシングし、上述した移動端末機の各ユニットを制御し、ユニット間のデータの送受信を制御することができる。本発明において、制御部５４０は、図１Ａの制御部１８０として具現されてもよい。
【０１６６】
一実施例によって、制御部５４０は、ディスプレイ部５１０が非活性化された状態で第１入力信号がセンシングされる場合、第１アンロックモードに遷移することができる。また、制御部５４０は、ディスプレイ部５１０が活性化された状態で第１入力信号がセンシングされる場合、第２アンロックモードに遷移することができる。他の一実施例によって、制御部５４０は、ディスプレイ部５１０の既設定の領域で第１入力信号がセンシングされる場合、第１アンロックモードに遷移することができる。また、制御部５４０は、ディスプレイ部５１０の既設定の領域を除外した領域で第１入力信号がセンシングされる場合、第２アンロックモードに遷移することができる。他の一実施例によって、制御部５４０は、外部デジタルデバイスから、第１使用モードを示す第１信号または第２使用モードを示す第２信号を受信することができる。また、制御部５４０は、外部デジタルデバイスから第１信号を受信し、ディスプレイ部５４０に対する第１入力信号をセンシングする場合、第１アンロックモードに遷移することができる。また、制御部５４０は、外部デジタルデバイスから第２信号を受信し、ディスプレイ部５４０に対する第１入力信号をセンシングする場合、第２アンロックモードに遷移することができる。
【０１６７】
本明細書の一実施例として、移動端末機が行う動作は、制御部５４０によって制御され得る。便宜のため、図面及び以下の説明では、このような動作を総称して移動端末機が行う／制御するものとして説明する。
【０１６８】
外部デジタルデバイス５５０は、移動端末機と通信接続の可能なデジタルデバイスに該当し得る。例えば、外部デジタルデバイス５５０は、図３に示したウォッチ型端末機、図４に示したグラス型端末機を含むことができる。また、例えば、外部デジタルデバイス５５０は、移動端末機１００と通信可能なバンド型端末機、ドローン（ｄｒｏｎｅ）などを含むこともできる。ペアリングを行う場合、移動端末機及び外部デジタルデバイス５５０は通信接続を行って、両方向にデータの送受信が可能である。ペアリングは、ブルートゥース、ＮＦＣ（Ｎｅａｒ  Ｆｉｅｌｄ  Ｃｏｍｍｕｎｉｃａｔｉｏｎ）などを通じて行うことができる。本発明において、移動端末機は、外部デジタルデバイス５５０とペアリングされた状態であると仮定して説明する。これと関連して、図１６で説明する。
【０１６９】
一方、移動端末機は、様々な使用モードを含むことができる。例えば、移動端末機は、アンロック（ｕｎｌｏｃｋ）モード及びロック（ｌｏｃｋ）モードを含むことができる。アンロックモードは、ディスプレイ部が活性化された状態で、ユーザが日常的に移動端末機に含まれたアプリケーション、コンテンツ、動画などを利用できるモードを示す。本発明において、移動端末機は、第１アンロックモード及び第２アンロックモードを含むことができる。ここで、第１アンロックモードで提供されるコンテンツ及び第２アンロックモードで提供されるコンテンツの少なくとも一部が互いに異なっていてもよい。これと関連して、図６乃至図９で説明する。
【０１７０】
また、ロックモードは、移動端末機に含まれたアプリケーション、コンテンツなどをディスプレイ部を通じて利用できないモードを示す。また、ロックモードは、ディスプレイ部が活性化された状態及び非活性化された状態の両方を含む。一方、ロックモードにおいて、ノーティフィケーションが提供されるイベントが発生した場合、移動端末機は、ディスプレイ部上でノーティフィケーションを提供することができる。一方、本発明において、移動端末機は、第１ロックモード及び第２ロックモードを含むことができる。ここで、第１ロックモードは、上述した第１アンロックモードに対応するロックモードであり、第２ロックモードは、上述した第２アンロックモードに対応するロックモードに該当し得る。これと関連して、図１８で説明する。
【０１７１】
図６乃至図９は、本発明の一実施例による移動端末機の第１アンロックモード及び第２アンロックモードの一例を説明するための図である。
【０１７２】
上述したように、アンロックモードは、ディスプレイ部が活性化された状態で、ユーザが日常的にアプリケーション、コンテンツ、イメージ、動画などを利用できるモードを示す。以下、ディスプレイ部にディスプレイされるアプリケーション、コンテンツ、イメージ、動画などを総称してコンテンツとして説明する。
【０１７３】
移動端末機１００のアンロックモードにおいて、ユーザに関係なく同一にコンテンツを提供する場合、移動端末機１００のユーザのうちの実際の所有者の個人情報が侵害されるおそれがある。したがって、移動端末機１００は、ユーザに応じて、２つ以上のアンロックモードを提供する必要がある。本発明において、移動端末機１００は、第１アンロックモード及び第２アンロックモードを提供することができる。また、設定に応じて、移動端末機１００は、さらに多いアンロックモードを様々に提供することができる。
【０１７４】
一例として、図６を参照すると、移動端末機１００は、移動端末機１００の所有者ではないユーザに提供する第１アンロックモード６１０、及び移動端末機１００の所有者に提供する第２アンロックモード６２０を提供することができる。例えば、第１アンロックモード６１０は、移動端末機１００の所有者の個人情報が侵害されるおそれのないコンテンツを提供するモードに該当し得る。図６（ａ）を参照すると、第１アンロックモード６１０において、移動端末機１００は、ディスプレイ部にカメラアプリケーション、ビデオアプリケーション、ＴＶアプリケーションなどを提供することができる。
【０１７５】
また、第２アンロックモード６２０は、移動端末機１００の所有者の個人情報が含まれたコンテンツを全部提供するモードであって、所有者が移動端末機１００を利用するためのコンテンツを提供するモードに該当し得る。図６（ｂ）を参照すると、第２アンロックモード６２０は、第１アンロックモード６１０とは異なり、電話、アドレス帳、メッセンジャーのような個人情報が含まれたコンテンツをユーザに提供することができる。
【０１７６】
他の一例として、図７を参照すると、移動端末機１００は、ユーザが休んでいる状態で提供される第１アンロックモード７１０、及びユーザが日常生活をしている状態で提供される第２アンロックモード７２０を提供することができる。例えば、第１アンロックモード７１０は、ユーザが業務から離れて休みたい場合に、休息に邪魔となり得る電話、メッセージなどを遮断し、休息中に利用するコンテンツのみを提供するモードに該当し得る。図７（ａ）を参照すると、第１アンロックモード７１０において、移動端末機１００は、電話を受信しない状態に切り替え、音楽、映画、ゲーム、ＴＶなどの休息と関連するアプリケーションを提供することができる。
【０１７７】
また、第２アンロックモード７２０は、ユーザが休息状態ではない業務などの日常生活で利用するコンテンツを提供するモードに該当し得る。図７（ｂ）を参照すると、第２アンロックモード７２０は、図６（ｂ）に示された第２アンロックモード６２０と同様に、ユーザが利用する様々なコンテンツを提供することができる。
【０１７８】
他の一例として、図８を参照すると、移動端末機１００は、ユーザが家ではない外部にいる場合に提供される第１アンロックモード８１０、及びユーザが家にいる場合に提供される第２アンロックモード８２０を提供することができる。第１アンロックモード８１０または第２アンロックモード８２０は、ユーザが家または外部にいる場合、移動端末機１００のデータ利用方法、及びサウンドを提供するか否かに対して決定して提供されるモードに該当し得る。
【０１７９】
図８（ａ）を参照すると、第１アンロックモード８１０は、ユーザが外部にいる状態で、移動端末機１００のＷｉ−Ｆｉを遮断し、データ使用を許可し、サウンドは提供しないモードに該当し得る。また、図８（ｂ）を参照すると、第２アンロックモード８２０は、ユーザが家にいる状態で、移動端末機１００のデータ使用を遮断し、Ｗｉ−Ｆｉを許可し、サウンドを提供するモードに該当し得る。ただし、本実施例の場合、データ使用方法、及びサウンドを提供するか否かだけでなく、ユーザの移動端末機の使用パターンに応じて、様々な方式で提供することができる。
【０１８０】
他の一例として、図９を参照すると、移動端末機１００は、ユーザが子供である場合に提供される第１アンロックモード９１０、及びユーザが大人である場合に提供される第２アンロックモード９２０を提供することができる。例えば、第１アンロックモード９１０は、ユーザが子供である場合に、子供がアクセスしてはならないコンテンツを除外し、子供が使用できるコンテンツのみを提供することができる。例えば、図９（ａ）を参照すると、第１アンロックモード９１０は、子供たちが好きなアニメ、音楽、童謡、カメラアプリケーションなどを提供することができる。
【０１８１】
また、第２アンロックモード９２０は、ユーザが大人である場合に利用できるコンテンツを提供することができる。例えば、図９（ｂ）を参照すると、第２アンロックモード９２０は、図６（ｂ）に示された第２アンロックモード６２０と同様に、大人であるユーザが利用する様々なコンテンツを提供することができる。
【０１８２】
本発明で提供する第１アンロックモード及び第２アンロックモードは、上述した図６乃至図９の実施例に限定されない。すなわち、移動端末機は、移動端末機を利用するユーザ、移動端末機が利用される位置、時間、場所などに基づいて、様々なアンロックモードを提供することができる。また、移動端末機は、上述した第１アンロックモード及び第２アンロックモード以外に、第３アンロックモードのような追加的なアンロックモードを提供することができる。
【０１８３】
一方、図６乃至図９で詳述した第１及び第２アンロックモードを用いるために、移動端末機は、ロックモードからアンロックモードに切り替える必要がある。上述したように、ロックモードは、コンテンツをユーザが利用できない状態であって、移動端末機のディスプレイ部が活性化された状態、及び非活性化された状態を含むことができる。
【０１８４】
図１０は、本発明の一実施例による移動端末機のディスプレイ部が活性化された状態でのロックモードを示す画面の一例を説明するための図である。
【０１８５】
まず、移動端末機１００は、コンテンツを利用するために、ロックモードからアンロックモードに遷移することができる。このとき、移動端末機１００は、ディスプレイ部にロックモードを示す画面（以下、‘ロック画面’という）をディスプレイし、移動端末機１００がロックモードであることを示すことができる。この場合、移動端末機１００は、アンロックモードに遷移するために、ロック画面上にアンロックインターフェースをディスプレイして入力信号をセンシングするか、またはアンロックインターフェースをディスプレイせずに入力信号をセンシングすることができる。
【０１８６】
一例として、移動端末機１００は、ロック画面上でアンロックインターフェースをディスプレイし、既設定の暗号がセンシングされる場合にアンロックモードに遷移することができる。ここで、アンロックインターフェースは、移動端末機１００をロック解除するためのインターフェースであって、ユーザが予め設定しておいた既設定の暗号を認識すればロックモードが解除されるようにするインターフェースを示す。ここで、既設定の暗号は、アンロックインターフェースの種類によって、パターンを有するドラッグタッチ入力、パターンを有するマルチタッチ入力、数字の暗号などを含むことができる。また、アンロックインターフェースは、ディスプレイ部の一部の領域にディスプレイされてもよい。
【０１８７】
例えば、図１０（ａ）の例において、アンロックインターフェース１０１０は、ディスプレイ部上で既設定の順序に従って複数のタッチ入力を認識するインターフェースに該当し得る。例えば、アンロックインターフェース１０１０に設定された複数のタッチ入力は、既設定の順にディスプレイ部の少なくとも一部の領域でセンシングされるタッチ入力に該当し得る。図１０（ａ）を参照すると、移動端末機１００は、ディスプレイ部上で４回連続して１〜４の順にセンシングされる入力を入力信号として認識することができる。
【０１８８】
また、例えば、図１０（ｂ）の例において、アンロックインターフェース１０２０は、ディスプレイ部上でパターンを形成するドラッグタッチ入力を認識するインターフェースに該当し得る。例えば、アンロックインターフェース１０２０に設定されたドラッグタッチ入力は、既設定のパターンを描く入力に該当し得る。図１０（ｂ）を参照すると、移動端末機１００は、ディスプレイ部上で‘Ｚ’パターンを描くドラッグタッチ入力１０２１を入力信号として認識することができる。
【０１８９】
また、例えば、図１０（ｃ）の例において、アンロックインターフェース１０３０は、数字の暗号を認識するインターフェースに該当し得る。例えば、アンロックインターフェース１０３０に設定された数字の暗号は、既設定の数字を入力するタッチ入力に該当し得る。一方、図１０に示した実施例以外にも、アンロックインターフェースは様々に設定することができる。
【０１９０】
一方、他の一例として、移動端末機１００は、ロック画面上で入力信号をセンシングする場合にアンロックモードに遷移することができる。この場合、上述したアンロックインターフェースとは異なり、移動端末機１００は、ディスプレイ部の特定の領域に関係なく入力信号を認識することができる。例えば、図１０（ｄ）に示すように、移動端末機１００は、ロック画面上でスライディング入力をセンシングする場合に、アンロックモードに遷移することができる。また、例えば、図１０（ｅ）に示すように、移動端末機１００は、ロック画面上でマルチタッチ入力をセンシングする場合に、アンロックモードに遷移することができる。その他にも、アンロックインターフェースを利用せずに移動端末機１００をロックモードからアンロックモードに遷移させるために、様々な方法を提供することができる。
【０１９１】
以下、図１１Ａ乃至図１６Ｂの実施例では、上述したロックモードにおいて、１つの入力信号を用いて移動端末機で複数のアンロックモードを提供する方法について説明する。一方、図１１Ａ乃至図１６Ｂに示した第１アンロックモード及び第２アンロックモードは、上述した図６の実施例に該当し得る。ただし、第１アンロックモード及び第２アンロックモードは、上述した実施例に限定されず、図７乃至図９の実施例及び他の実施例を適用することも可能である。
【０１９２】
図１１Ａ及び図１１Ｂは、本発明の一実施例による移動端末機においてロックモードからアンロックモードに遷移する方法の一例を説明するための図である。
【０１９３】
図１１Ａ及び図１１Ｂの実施例の場合、ロックモードにおいて、ディスプレイ部が活性化されたか否かによって、複数のアンロックモードに遷移する方法を示す。図１１Ａ及び図１１Ｂにおいてロックモードを解除するための方法は、上述した図１０に示した方法のうちの既設定の順序に従って複数のタッチを入力する方法に該当し得る。ただし、図１１Ａ及び図１１Ｂに図示していないが、図１０で詳述した他の方法によって画面ロックを解除することもできる。
【０１９４】
一実施例として、移動端末機１００は、ディスプレイ部が非活性化された状態で第１入力信号１１１０ａがセンシングされる場合、第１アンロックモード１１２０に遷移することができる。ディスプレイ部が非活性化された状態は、ディスプレイ部の電源がオフ（ＯＦＦ）状態であって、ディスプレイ部にいかなるイメージもディスプレイされていない状態に該当し得る。図１１Ａにおいて、第１入力信号１１１０ａは、４つのタッチ入力が既設定の順序に従って行われる入力に該当し得る。また、図１１Ａの実施例において、ディスプレイ部上で第１入力信号１１１０ａがセンシングされる領域は定められていなくてもよい。したがって、移動端末機１００は、ディスプレイ部上の位置に関係なく、４つのタッチ入力が既設定の順序に従ってセンシングされると、第１入力信号１１１０ａとして認識することができる。
【０１９５】
一方、移動端末機１００は、ディスプレイ部が非活性化された状態で第１入力信号１１１０ａをセンシングする場合、ユーザがディスプレイ部にコンテンツ全体の一部のみをディスプレイしようとするものと認識することができる。したがって、移動端末機１００は第１アンロックモード１１２０に遷移することができる。ここで、第１アンロックモード１１２０は、コンテンツ全体において一部のコンテンツのみをディスプレイするモードに該当し得る。すなわち、第１アンロックモード１１２０で利用中である場合、移動端末機１００の所有者は、他のユーザによって個人情報が侵害されるおそれを低減することができる。
【０１９６】
他の一実施例として、移動端末機１００は、ディスプレイ部が活性化された状態で第１入力信号１１１０ｂがセンシングされる場合、第２アンロックモード１１３０に遷移することができる。ディスプレイ部が活性化された状態は、図１１Ｂに示したように、ディスプレイ部の電源がオン（ＯＮ）状態であって、ディスプレイ部にロック画面をディスプレイする状態に該当し得る。また、図１１Ｂにおいて、第１入力信号１１１０ｂは、４つのタッチ入力が既設定の順序に従って行われる入力であって、図１１Ａに示された第１入力信号１１１０ａと同一の入力信号に該当し得る。また、図１１Ｂの実施例において、ロック画面がディスプレイされたディスプレイ部上で第１入力信号１１１０ｂがセンシングされる領域は定められていなくてもよい。したがって、移動端末機１００は、ディスプレイ部上の位置に関係なく、ロック画面がディスプレイされたディスプレイ部上に４つのタッチ入力が既設定の順序に従ってセンシングされると、第１入力信号１１１０ｂとして認識することができる。
【０１９７】
一方、移動端末機１００は、ディスプレイ部が活性化された状態で第１入力信号１１１０ｂをセンシングする場合、ユーザがディスプレイ部にコンテンツ全体をディスプレイしようとするものと認識することができる。したがって、移動端末機１００は、第２アンロックモード１１３０に遷移することができる。ここで、第２アンロックモード１１３０は、移動端末機１００で利用可能なコンテンツ全体を提供するモードに該当し得る。すなわち、第２アンロックモード１１３０で利用中である場合、移動端末機１００のユーザはコンテンツ全体を利用することができる。
【０１９８】
一方、ディスプレイ部が活性化されたか否かによってアンロックモードに遷移する方法は、図１１Ａ及び図１１Ｂの実施例に限定されない。例えば、図１１Ａ及び図１１Ｂとは異なり、移動端末機１００は、ディスプレイ部が非活性化された状態で第１入力信号をセンシングする場合、第２アンロックモードに遷移することができる。また、移動端末機１００は、ディスプレイ部が活性化された状態で第１入力信号をセンシングする場合、第１アンロックモードに遷移することができる。
【０１９９】
図１１Ａ及び図１１Ｂの実施例を通じて、ユーザは、移動端末機１００に１つの入力信号を設定しても、入力信号をセンシングするときのディスプレイ部の活性化状態によって複数のアンロックモードを便利に利用することができる。
【０２００】
図１２Ａ及び図１２Ｂは、本発明の一実施例による移動端末機においてディスプレイ部のロックモードからアンロックモードに遷移する方法の一例を説明するための図である。
【０２０１】
図１２Ａ及び図１２Ｂの実施例の場合、移動端末機にロック画面がディスプレイされた状態で、ディスプレイ部の既設定の領域に対して入力信号がセンシングされるか否かによって、複数のアンロックモードに遷移する方法を示す。図１２Ａ及び図１２Ｂにおいて、画面ロックを解除するための方法は、上述した図１０に示された方法のうちの既設定の順序に従って複数のタッチを入力する方法に該当し得る。ただし、図１２Ａ及び図１２Ｂには図示していないが、図１０で詳述した他の方法によって画面ロックを解除することもできる。また、図１２Ａ及び図１２Ｂの実施例において、移動端末機１００は、ディスプレイ部が活性化された状態で第１入力信号をセンシングするものと仮定する。
【０２０２】
一実施例として、移動端末機１００は、ディスプレイ部の既設定の領域で第１入力信号１２１０ａがセンシングされる場合、第１アンロックモード１２４０に遷移することができる。ここで、既設定の領域１２２０は、ディスプレイ上に表示されなくてもよい。すなわち、既設定の領域１２２０は、ユーザ本人のみが知っている位置として、予め設定しておいた領域に該当し得る。図１２Ａにおいて、既設定の領域１２２０は、ディスプレイ部の右側上端の一部に該当する。また、既設定の領域１２２０は、ディスプレイ部上で表示されないため、移動端末機１００は、既設定の領域１２２０に隣接する領域で第１入力信号１２１０ａをセンシングする場合にも、アンロックのための入力信号として認識可能である。また、図１２Ａにおいて、第１入力信号１２１０ａは、４つのタッチ入力が既設定の順序に従って行われる信号に該当し得る。
【０２０３】
また、ディスプレイ部の既設定の領域で第１入力信号１２１０ａがセンシングされる場合は、第１入力信号１２１０ａの最終位置に対応する領域が既設定の領域に含まれる場合を示すことができる。例えば、図１２Ａは、ディスプレイ部の既設定の領域１２２０内に、第１入力信号１２１０ａの最終位置である４番目のタッチ入力に対応する領域が含まれる場合を示す。
【０２０４】
一方、移動端末機１００は、ディスプレイ部の既設定の領域１２１０で第１入力信号１２１０ａをセンシングする場合、ユーザがディスプレイ部にコンテンツ全体の一部のみをディスプレイしようとするものと認識することができる。したがって、移動端末機１００は第１アンロックモード１２４０に遷移することができる。
【０２０５】
他の一実施例として、移動端末機１００は、ディスプレイ部の既設定の領域１２２０を除外した領域で第１入力信号１２１０ｂがセンシングされる場合、第２アンロックモード１２５０に遷移することができる。ここで、図１２Ｂを参照すると、既設定の領域１２２０を除外した領域は、ディスプレイ部においてアンロックインターフェース１２３０がディスプレイされた領域に対応することができる。また、既設定の領域１２２０を除外した領域は、アンロックインターフェースがディスプレイされた領域を含んだ残りの領域を含むことができる。
【０２０６】
一方、第１入力信号１２１０ｂは、アンロックインターフェース１２３０がディスプレイされた領域に対する信号に該当し得る。また、図１２Ｂにおいて、第１入力信号１２１０ｂは、４つのタッチ入力が既設定の順序に従って行われる信号であって、図１２Ａに示した第１入力信号１２１０ａと同一の入力信号に該当し得る。したがって、移動端末機１００は、アンロックインターフェース１２３０に表示された４つの入力窓に４つのタッチ入力が既設定の順序に従ってセンシングされると、第１入力信号１２１０ｂとして認識することができる。
【０２０７】
また、既設定の領域を除外した領域で第１入力信号１２１０ｂがセンシングされる場合は、第１入力信号１２１０ｂの最終位置に対応する領域が既設定の領域を除外した領域に含まれる場合を示すことができる。例えば、図１２Ｂは、ディスプレイ部の既設定の領域を除外した領域内に、第１入力信号１２１０ｂの最終位置である４番目のタッチ入力に対応する領域が含まれる場合を示す。
【０２０８】
一方、移動端末機１００は、アンロックインターフェース１２３０に対する第１入力信号１２１０ｂがセンシングされる場合、ユーザがディスプレイ部に移動端末機で利用可能なコンテンツ全体をディスプレイしようとするものと認識することができる。したがって、移動端末機１００は第２アンロックモード１２５０に遷移することができる。
【０２０９】
一方、ディスプレイ部の既設定の領域で入力信号が認識されるか否かによってアンロックモードに遷移する方法は、図１２Ａ及び図１２Ｂの実施例に限定されない。例えば、図１２Ａ及び図１２Ｂとは異なり、移動端末機１００は、ディスプレイ部の既設定の領域で第１入力信号をセンシングする場合、第２アンロックモードに遷移することができる。また、移動端末機１００は、ディスプレイ部のアンロックインターフェースで第１入力信号をセンシングする場合、第１アンロックモードに遷移することもできる。
【０２１０】
図１２Ａ及び図１２Ｂの実施例を通じて、ユーザは、ディスプレイ部上で入力信号がセンシングされる領域が、ユーザが認識可能なアンロックインターフェースであるか、または認識不可能な既設定の領域であるかによって、１つの入力信号により複数のアンロックモードを便利に利用することができる。
【０２１１】
図１３Ａ及び図１３Ｂは、本発明の一実施例による移動端末機のロックモードからアンロックモードに遷移する方法の一例を説明するための図である。
【０２１２】
図１３Ａ及び図１３Ｂの実施例の場合、移動端末機１００にロック画面がディスプレイされた状態で、ディスプレイ部の既設定の領域に対して入力信号がセンシングされるか否かによって複数のアンロックモードに遷移する方法を示す。図１３Ａ及び図１３Ｂでの画面ロックを解除するための方法は、上述した図１０に示した方法のうちのパターンを形成するドラッグタッチを入力する方法に該当し得る。ただし、図１３Ａ及び図１３Ｂには図示していないが、図１０で詳述した他の方法により画面ロックを解除することもできる。また、図１３Ａ及び図１３Ｂの実施例において、移動端末機１００は、ディスプレイ部が活性化された状態で第１入力信号をセンシングするものと仮定する。また、上述した図１２Ａ及び図１２Ｂと重複する説明は省略する。
【０２１３】
一実施例として、移動端末機１００は、ディスプレイ部の既設定の領域１３３０で第１入力信号１３１０ａがセンシングされる場合、第１アンロックモード１３４０に遷移することができる。ここで、既設定の領域１３３０はディスプレイ部上で表示されなくてもよい。例えば、図１３Ａにおいて、既設定の領域１３３０は、ディスプレイ部の右側下端領域に該当し得る。また、図１３Ａにおいて、第１入力信号１３１０ａは、パターンを形成するドラッグタッチ入力に該当し得る。
【０２１４】
一方、移動端末機１００は、既設定の領域１３３０内に第１入力信号１３１０ａの最終位置に対応する領域が含まれる場合、第１アンロックモード１３４０に遷移することができる。図１３Ａにおいて、第１入力信号１３１０ａは、アンロックインターフェース１３２０で‘Ｚ’形態のパターンが始まって既設定の領域１３３０で終了するドラッグタッチに該当する。したがって、移動端末機１００は第１アンロックモード１３４０に遷移することができる。
【０２１５】
他の一実施例として、移動端末機１００は、ディスプレイ部の既設定の領域１３３０を除外した領域で第１入力信号１３１０ｂがセンシングされる場合、第２アンロックモード１３５０に遷移できる。ここで、既設定の領域１３３０を除外した領域は、ディスプレイ部においてアンロックインターフェース１３２０がディスプレイされた領域に対応することができる。図１３Ｂにおいて、第１入力信号１３１０ｂは、アンロックインターフェース１３２０内で‘Ｚ’形態のパターンを形成する信号に該当する。これは、図１３Ａに示したアンロックインターフェース１３２０上での第１入力信号１３１０ａと同一のパターンを形成する入力信号に該当し得る。したがって、移動端末機１００は、アンロックインターフェース１３２０で第１入力信号１３１０ｂをセンシングする場合、第２アンロックモード１３５０に遷移することができる。
【０２１６】
すなわち、図１３Ａ及び図１３Ｂの実施例の場合、図１２Ａ及び図１２Ｂの実施例とは異なり、アンロックインターフェースで第１入力信号をセンシングすることは同一であるが、入力信号の最終位置に対応する領域がアンロックインターフェースの内部であるか否かによってアンロックモードが決定され得る。一方、ディスプレイ部の既設定の領域で入力信号が認識されるか否かによってアンロックモードに遷移する方法は、図１３Ａ及び図１３Ｂの実施例に限定されない。例えば、図１３Ａ及び図１３Ｂとは異なり、移動端末機１００は、ディスプレイ部の既設定の領域で第１入力信号をセンシングする場合、第２アンロックモードに遷移することができる。また、移動端末機１００は、ディスプレイ部のアンロックインターフェースで第１入力信号をセンシングする場合、第１アンロックモードに遷移することができる。
【０２１７】
図１３Ａ及び図１３Ｂの実施例を通じて、ユーザは、アンロックインターフェース上に同一のドラッグ入力を行っても、ドラッグ入力の最終位置がアンロックインターフェース上に位置するか否かによって、複数のアンロックモードを容易に利用することができる。
【０２１８】
図１４Ａ及び図１４Ｂは、本発明の一実施例による移動端末機のロックモードからアンロックモードに遷移する方法の一例を説明するための図である。
【０２１９】
図１４Ａ及び図１４Ｂの実施例の場合、移動端末機にロック画面が設定された状態で、ディスプレイ部の既設定の領域に対して入力信号がセンシングされるか否かによって複数のアンロックモードに遷移する方法を示す。図１４Ａ及び図１４Ｂでの画面ロックを解除するための方法は、上述した図１０に示した方法のうちのスライディングタッチを入力する方法に該当し得る。ただし、図１４Ａ及び図１４Ｂには図示していないが、図１０で詳述した他の方法により画面ロックを解除することもできる。一方、図１４Ａ及び図１４Ｂの実施例の場合、上述した図１２Ａ及び図１２Ｂ及び図１３Ａ及び図１３Ｂとは異なり、ロック画面上にアンロックインターフェースがディスプレイされないケースに該当する。
【０２２０】
一実施例として、移動端末機１００は、ディスプレイ部の既設定の領域１４２０で第１入力信号１４１０ａがセンシングされる場合、第１アンロックモード１４３０に遷移することができる。より詳細には、移動端末機１００は、ディスプレイ部の既設定の領域１４２０内に、第１入力信号１４１０ａの最終位置に対応する領域が含まれる場合、第１アンロックモード１４３０に遷移することができる。図１４Ａを参照すると、第１入力信号１４１０ａは、ディスプレイ部の左側から始まって右側下端の既設定の領域１４２０で終了するスライディングタッチ入力に該当する。移動端末機１００は、スライディングタッチ入力が既設定の領域１４２０で終了する場合、ユーザが一部のコンテンツはディスプレイしたくない状況であるものと認識することができる。したがって、移動端末機１００は第１アンロックモード１４３０に遷移することができる。
【０２２１】
他の一実施例として、移動端末機１００は、ディスプレイ部の既設定の領域１４２０を除外した領域で第１入力信号１４１０ｂがセンシングされる場合、第２アンロックモード１４４０に遷移することができる。より詳細には、移動端末機１００は、第１入力信号１４１０ｂが既設定の領域１４２０と関係のない領域でセンシングされる場合、第２アンロックモード１４４０に遷移することができる。ここで、第１入力信号１４１０ｂは、スライディングタッチ入力であって、図１４Ａに示した第１入力信号１４１０ａと同一の入力信号に該当し得る。
【０２２２】
一方、ディスプレイ部の既設定の領域で入力信号が認識されるか否かによってアンロックモードに遷移する方法は、図１４Ａ及び図１４Ｂの実施例に限定されない。例えば、図１４Ａ及び図１４Ｂとは異なり、移動端末機１００は、ディスプレイ部の既設定の領域で終了するスライディングタッチ入力をセンシングする場合、第２アンロックモードに遷移することができる。また、移動端末機１００は、ディスプレイ部の既設定の領域を除外した領域でスライディングタッチ入力をセンシングする場合、第１アンロックモードに遷移することができる。
【０２２３】
図１４Ａ及び図１４Ｂの実施例を通じて、ユーザは、アンロックインターフェースがディスプレイされていないロック画面に対して、スライディングタッチ入力が終了する領域の位置に基づいて複数のアンロックモードを便利に利用することができる。
【０２２４】
図１５Ａ及び図１５Ｂは、本発明の一実施例による移動端末機においてディスプレイ部が非活性化された状態でアンロックモードに遷移する方法の一例を説明するための図である。
【０２２５】
図１５Ａ及び図１５Ｂの実施例の場合、ディスプレイ部が非活性化された状態で、ディスプレイ部の既設定の領域１５２０に対して入力信号がセンシングされるか否かによって複数のアンロックモードに遷移する方法を示す。図１５Ａ及び図１５Ｂにおいてアンロックモードに遷移する方法はマルチタッチであって、連続して２回のタッチが隣接した領域にセンシングされる場合に該当し得る。また、図１５Ａ及び図１５Ｂの実施例の場合、ディスプレイ部が非活性化された状態であるので、移動端末機１００はロック画面をディスプレイすることができない。
【０２２６】
一実施例として、図１５Ａに示すように、移動端末機１００は、ディスプレイ部の既設定の領域１５２０で第１入力信号１５１０ａがセンシングされる場合、第１アンロックモード１５３０に遷移することができる。ここで、既設定の領域１５２０は、ディスプレイ部が非活性化された状態であるので表示されなくてもよい。また、既設定の領域１５２０が表示されないので、移動端末機１００は、既設定の領域１５２０だけでなく、それと隣接する領域で第１入力信号１５１０ａをセンシングする場合にも、アンロックモードに遷移するための入力信号として認識することができる。ここで、第１入力信号１５１０ａは、連続的な２回のタッチ入力であって、隣接した領域で認識される連続タッチ入力に該当し得る。
【０２２７】
ディスプレイ部が非活性化された状態で、既設定の領域１５２０で第１入力信号１５１０ａがセンシングされる場合、移動端末機１００は、ユーザがコンテンツ全体の一部のみをディスプレイしようとするものと認識することができる。したがって、移動端末機１００は第１アンロックモード１５３０に遷移することができる。
【０２２８】
他の一実施例として、図１５Ｂに示すように、移動端末機１００は、ディスプレイ部の既設定の領域を除外した領域で第１入力信号１５１０ｂがセンシングされる場合、第２アンロックモード１５４０に遷移することができる。ここで、第１入力信号１５１０ｂは、連続的な２回のタッチ入力信号であって、図１５Ａに示した第１入力信号１５１０ａと同一の入力信号に該当し得る。
【０２２９】
ディスプレイ部が非活性化された状態で、既設定の領域を除外した領域で第１入力信号１５１０ｂがセンシングされる場合、移動端末機１００は、ユーザがコンテンツ全体を全て利用したいものと認識することができる。したがって、移動端末機１００は第２アンロックモード１５４０に遷移することができる。
【０２３０】
一方、ディスプレイ部が非活性化された状態で、既設定の領域で入力信号が認識されたか否かによってアンロックモードに遷移する方法は、図１５Ａ及び図１５Ｂの実施例に限定されない。例えば、図１５Ａ及び図１５Ｂとは異なり、移動端末機１００は、ディスプレイ部の非活性化状態で、既設定の領域で第１入力信号をセンシングする場合、第２アンロックモードに遷移することができる。また、移動端末機１００は、ディスプレイ部の非活性化状態で、既設定の領域を除外した領域で第１入力信号をセンシングする場合、第１アンロックモードに遷移することができる。
【０２３１】
図１５Ａ及び図１５Ｂの実施例を通じて、ユーザは、移動端末機にディスプレイ部が非活性化された状態でも、ディスプレイ部上で１つの入力信号がセンシングされる領域によって複数のアンロックモードを便利に利用することができる。
【０２３２】
図１６Ａ及び図１６Ｂは、本発明の一実施例による移動端末機のロックモードからアンロックモードに遷移する方法の一例を説明するための図である。
【０２３３】
図１６Ａ及び図１６Ｂの実施例の場合、移動端末機１００ａは、外部デジタルデバイス１００ｂにペアリングされた状態であるものと仮定する。また、外部デジタルデバイス１００ｂは、図１６Ａ及び図１６Ｂではウォッチ型端末機に該当するが、その他にも、グラス型端末機、ドローンなどの、移動端末機１００ａに通信接続可能な様々な端末機を含むことができる。図１６Ａ及び図１６Ｂでのディスプレイ部の画面ロックを解除するための方法は、上述した図１０に示した方法のうちの既設定の順序に従って複数のタッチを入力する方法に該当し得る。ただし、図１６Ａ及び図１６Ｂに図示していないが、図１０で詳述した他の方法により画面ロックを解除することもできる。また、図１６Ａ及び図１６Ｂの実施例において、移動端末機１００ａは、ディスプレイ部が活性化された状態で第１入力信号１６１０をセンシングするものと仮定する。
【０２３４】
まず、移動端末機１００ａは、外部デジタルデバイス１００ｂから、外部デジタルデバイス１００ｂの使用モードを示す信号を受信することができる。例えば、外部デジタルデバイス１００ｂの使用モードは、第１使用モード及び第２使用モードを含むことができる。ここで、第１使用モードは、外部デジタルデバイス１００ｂにセキュリティが設定されているモードであって、コンテンツ全体において一部のみを提供するモードに該当する。また、第２使用モードは、外部デジタルデバイス１００ｂからセキュリティが解除されているモードであって、外部デジタルデバイス１００ｂで利用可能なコンテンツ全体を提供するモードに該当する。したがって、移動端末機１００ａは、外部デジタルデバイス１００ｂの第１使用モードを示す第１信号、または、第２使用モードを示す第２信号を受信することができる。
【０２３５】
一実施例として、図１６Ａに示すように、外部デジタルデバイス１００ｂから第１信号を受信し、ディスプレイ部に対する第１入力信号１６１０ａをセンシングする場合、移動端末機１００ａは第１アンロックモード１６２０に遷移することができる。ここで、第１入力信号１６１０ａは、既設定の順序に従った４回のタッチ入力に該当し得る。また、第１入力信号１６１０ａはこれに限定されず、様々なタッチ入力を含むことができる。
【０２３６】
外部デジタルデバイス１００ｂにセキュリティが設定された状態である場合、移動端末機１００ａは、ユーザが移動端末機１００ａのディスプレイ部にコンテンツ全体の一部のみをディスプレイしようとするものと認識することができる。したがって、移動端末機１００ａは第１アンロックモード１６２０に遷移することができる。
【０２３７】
他の一実施例として、図１６Ｂに示すように、移動端末機１００ａは、外部デジタルデバイス１００ｂから第２信号を受信し、ディスプレイ部に対する第２入力信号１６１０ｂをセンシングする場合、移動端末機１００ａは第２アンロックモード１６３０に遷移することができる。ここで、第１入力信号１６１０ｂは、既設定の順序に従った４回のタッチ入力であって、図１６Ａに示した第１入力信号１６１０ａと同一の信号に該当し得る。
【０２３８】
外部デジタルデバイス１００ｂからセキュリティが解除された場合、移動端末機１００ａは、ユーザが移動端末機１００ａのディスプレイ部にコンテンツ全体をディスプレイしようとするものと認識することができる。したがって、移動端末機１００ａは第２アンロックモード１６３０に遷移することができる。
【０２３９】
一方、外部デジタルデバイス１００ｂの使用モードに応じて移動端末機１００ａのアンロックモードに遷移する方法は、図１６Ａ及び図１６Ｂに限定されない。例えば、図１６Ａ及び図１６Ｂとは異なり、外部デジタルデバイス１００ｂから第１信号を受信し、ディスプレイ部に対する第１入力信号をセンシングする場合、移動端末機１００ａは第２アンロックモードに遷移することができる。また、外部デジタルデバイス１００ｂから第２信号を受信し、ディスプレイ部に対する第１入力信号をセンシングする場合、移動端末機１００ｂは第１アンロックモードに遷移することもできる。
【０２４０】
図１６Ａ及び図１６Ｂの実施例を通じて、移動端末機にペアリングされた外部デジタルデバイスの使用モードに基づいて、ユーザは、移動端末機に１つの入力信号を入力しても、移動端末機上で複数のアンロックモードを便利に利用することができる。
【０２４１】
図１７Ａ及び図１７Ｂは、本発明の一実施例による移動端末機の利用中に他のアンロックモードに遷移する方法の一例を説明するための図である。
【０２４２】
図１７Ａ及び図１７Ｂの実施例の場合、上述した実施例とは異なり、移動端末機１００が、画面ロック状態またはディスプレイ部の非活性化状態ではなく、ユーザが第１アンロックモードまたは第２アンロックモードで利用中に、他のアンロックモードに遷移する方法を示す。また、図１７Ａ及び図１７Ｂの実施例に示した第１アンロックモード及び第２アンロックモードは、上述した図６の実施例に該当する。ただし、これに限定されず、第１アンロックモード及び第２アンロックモードは、図７乃至図９の実施例も含むことができる。
【０２４３】
一実施例として、図１７Ａに示すように、移動端末機１００は、第２アンロックモード１７１０で既設定のメニューオプション１７３０に対する第２入力信号がセンシングされる場合、第１アンロックモード１７４０に遷移することができる。
【０２４４】
まず、図１７Ａの１番目の図を参照すると、移動端末機１００は第２アンロックモード１７１０を提供することができる。第２アンロックモード１７１０でコンテンツ全体を利用していたユーザは、他のユーザからの個人情報の侵害を恐れて、利用中に第１アンロックモード１７４０への変更を望むことがある。このとき、図１７Ａの２番目の図を参照すると、移動端末機１００は、既設定のメニューオプション１７３０に対する第２入力信号をセンシングすることができる。
【０２４５】
例えば、既設定のメニューオプション１７３０は、移動端末機１００のステータスバー１７２０にディスプレイされてもよい。ステータスバー１７２０は、移動端末機１００の現在の利用状態を示すＧＵＩ（Ｇｒａｐｈｉｃ  Ｕｓｅｒ  Ｉｎｔｅｒｆａｃｅ）であって、時間、Ｗｉ−Ｆｉ情報、振動又は無音への切り替え、リアルタイムメッセージ確認などを提供し得る。また、既設定のメニューオプション１７３０は、アンロックモードの変更のためにディスプレイされたメニューオプションではなく、別途の機能をするメニューオプションに該当し得る。例えば、図１７Ａにおいて、既設定のメニューオプション１７３０は時計オプションに該当し得る。すなわち、図１７Ａにおいて時計オプションは、時間を示す機能以外に、アンロックモードの変更のためのメニューとしても使用可能である。
【０２４６】
これは、別途のメニューオプション１７３０をディスプレイする場合、移動端末機１００の所有者ではない他のユーザがモード切替を容易に行えるため、個人情報の保護が難しいからである。既設定のメニューオプション１７３０は、その他にも、ステータスバー１７２０にディスプレイされた残りのメニューオプションに該当したり、アンロックモード上でディスプレイ部にディスプレイされたメニューオプションに該当してもよい。
【０２４７】
また、第２入力信号は、ロング−タッチ入力に該当し得る。例えば、図１７Ａにおいて、既設定のメニューオプション１７３０に対してショート−タッチ入力がセンシングされる場合、移動端末機１００は、時計オプションに対する設定ウィンドウに移動し得る。また、例えば、図１７Ａにおいて、既設定のメニューオプション１７３０に対してロング−タッチ入力がセンシングされる場合、移動端末機１００は、第２アンロックモード１７１０から第１アンロックモード１７４０に遷移することができる。
【０２４８】
次に、図１７Ａの３番目の図を参照すると、移動端末機１００は、既設定のメニューオプション１７３０に対する第２入力信号がセンシングされると、第１アンロックモード１７４０に遷移することができる。すなわち、これを通じて、移動端末機の使用中にモード切替を迅速に行うことで、外部ユーザから個人情報を保護することができる。
【０２４９】
他の一実施例として、図１７Ｂに示すように、移動端末機１００は、第１アンロックモード１７４０で既設定のメニューオプション１７３０に対する第２入力信号がセンシングされる場合、ユーザ認証インターフェース１７５０をディスプレイすることができる。また、ユーザ認証インターフェース１７５０に対する第３入力信号がセンシングされる場合、移動端末機１００は第２アンロックモード１７１０に遷移することができる。
【０２５０】
まず、図１７Ｂの１番目の図を参照すると、移動端末機１００は第１アンロックモード１７４０を提供し得る。このとき、移動端末機１００の実際の所有者は、第２アンロックモード１７４０でのコンテンツの利用を望むことがある。このとき、図１７Ｂの２番目の図を参照すると、移動端末機１００の既設定のメニューオプション１７３０に対する第２入力信号をセンシングすることができる。例えば、第２入力信号はロング−タッチに該当し得る。
【０２５１】
この場合、図１７Ｂの３番目の図に示すように、移動端末機１００は、ユーザ認証インターフェース１７５０をディスプレイすることができる。ここで、ユーザ認証インターフェース１７５０は、現在の移動端末機１００を利用するユーザが登録されたユーザであるかを決定するためのインターフェースに該当する。図１７Ｂの例において、ユーザ認証インターフェース１７５０は、数字の暗号を入力するインターフェースに該当し得る。ただし、図１７Ｂに図示していないが、ユーザ認証インターフェース１７５０は、指紋認識、筆跡認識、音声認識、顔認識、虹彩認識などの様々な方法で提供されてもよい。
【０２５２】
次に、図１７Ｂの３番目の図に示すように、移動端末機１００は、ユーザ認証インターフェース１７５０に対する第３入力信号をセンシングすることができる。ここで、第３入力信号は、既設定の暗号に該当し得る。この場合、図１７Ｂの４番目の図に示すように、移動端末機１００は第２アンロックモード１７１０に遷移することができる。図１７Ａとは異なり、図１７Ｂの実施例の場合、コンテンツ全体において一部のみが提供される第１アンロックモードから、コンテンツ全体を提供する第２アンロックモードに遷移するためには、ユーザは、ユーザ認証インターフェースを介して追加認証が必要であり得る。これによって、移動端末機１００は、認証されたユーザにのみ第２アンロックモードを安全に提供することができる。
【０２５３】
図１７Ａ及び図１７Ｂの実施例は、個人情報セキュリティ用だけでなく、ユーザが日常生活中に休息を取りたい状態にあるか、または退勤後に家に到着する場合などにも利用可能である。一方、図１７Ｂには図示していないが、ユーザ認証インターフェース１７５０に対する第３入力信号が既設定の暗号に該当しない場合、移動端末機１００は第１アンロックモード１７４０を維持することができる。
【０２５４】
一方、図１７Ａ及び図１７Ｂの実施例において、第１アンロックモードでディスプレイされる既設定のメニューオプションと、第２アンロックモードでディスプレイされる既設定のメニューオプションとは互いに異なっていてもよい。これは、第１アンロックモード及び第２アンロックモードでディスプレイされる既設定のメニューオプションを異ならせて表示することで、ユーザが、現在、第１アンロックモードであるか、または第２アンロックモードであるかを容易に認識するようにするためである。
【０２５５】
図１８Ａ乃至図１８Ｃは、本発明の一実施例による移動端末機のアンロックモードからロックモードに遷移する方法の一例を説明するための図である。
【０２５６】
図１８Ａ乃至図１８Ｃの実施例の場合、移動端末機１００が、第１アンロックモードまたは第２アンロックモードを提供中にユーザから第４入力信号をセンシングして、第１ロックモードまたは第２ロックモードに遷移する方法を示す。
【０２５７】
ここで、ロックモードは、移動端末機１００に対する利用がない状態であって、ディスプレイ部が非活性化された状態を示すことができる。上述したディスプレイ部の画面ロック状態の場合、ディスプレイ部が活性化された状態である一方、ロックモードは、移動端末機１００のディスプレイ部が非活性化された状態を示すことができる。図１８Ａ乃至図１８Ｃの実施例において、移動端末機１００は、複数のロックモードを提供することができる。
【０２５８】
例えば、第１ロックモードは、第１アンロックモードに対応するロックモードに該当し得る。したがって、第１ロックモードで個人の私生活と関連する情報が含まれたイベントが発生する場合、移動端末機１００は、ディスプレイ部にノーティフィケーションを提供しなくてもよい。また、例えば、第２ロックモードは、第２アンロックモードに対応するロックモードに該当し得る。したがって、第２ロックモードで個人情報が含まれたイベントが発生する場合、移動端末機１００は、ディスプレイ部にこれに対するノーティフィケーションを提供し得る。
【０２５９】
一実施例として、図１８Ａを参照すると、移動端末機１００は、第２アンロックモード１８１０で第４入力信号１８２０ａがセンシングされる場合、第２ロックモードに遷移することができる。まず、図１８Ａの１番目の図に示すように、移動端末機１００は、第２アンロックモード１８１０で第４入力信号１８２０ａをセンシングすることができる。ここで、第４入力信号１８２０ａは、２回のショート−タッチ入力に該当し得る。図１８Ａには図示していないが、第４入力信号１８２０ａは、２回のショート−タッチ入力以外にも、様々なタッチ入力を含むことができる。また、第４入力信号１８２０ａは、ディスプレイ部の領域に関係なくセンシングされる信号に該当し得る。
【０２６０】
次に、図１８Ａの２番目の図に示すように、移動端末機１００は、第２ロックモードに遷移してディスプレイ部を非活性化することができる。上述したように、第２ロックモードは、第２アンロックモードの連続であって、個人の私生活と関連する情報が含まれたイベントが発生する場合、ノーティフィケーションを提供するモードである。次に、移動端末機１００は、ノーティフィケーション１８３０を提供するイベントの発生を受信することができる。ここで、発生したイベントは、メッセージ受信であって、図１８Ａの３番目の図に示すように、恋人から来たメッセージである‘Ｉ Ｌｏｖｅ ｙｏｕ’に該当し得る。これは、個人の私生活と関連するメッセージであって、移動端末機１００は、第２ロックモードではノーティフィケーション１８３０を提供することができる。
【０２６１】
他の一実施例として、図１８Ｂを参照すると、移動端末機１００は、第１アンロックモード１８４０でディスプレイ部の既設定の領域１８５０に対する第４入力信号１８２０ｂがセンシングされる場合、第１ロックモードに遷移することができる。まず、図１８Ｂの１番目の図に示すように、移動端末機１００は、第１アンロックモード１８４０でディスプレイ部の既設定の領域１８５０に対する第４入力信号１８２０ｂをセンシングすることができる。ここで、第４入力信号１８２０ｂは、２回のショート−タッチ入力に該当し得る。
【０２６２】
次に、図１８Ｂの２番目の図に示すように、移動端末機１００は第１ロックモードに遷移することができる。次に、移動端末機１００は、ノーティフィケーションを提供するイベントの発生を受信し得る。ここで、発生したイベントは、メッセージ受信であって、図１８Ａで詳述したメッセージと同一の、個人の私生活と関連するメッセージに該当し得る。この場合、図１８Ｂの３番目の図に示すように、第１ロックモードでは、ノーティフィケーションを提供しなくてもよい。
【０２６３】
他の一実施例として、図１８Ｃを参照すると、移動端末機１００は、第１アンロックモード１８４０でディスプレイ部の既設定の領域１８５０を除外した領域に対する第４入力信号１８２０ｃがセンシングされる場合、ユーザ認証インターフェース１８６０をディスプレイすることができる。また、移動端末機１００は、ユーザ認証インターフェース１８６０に対する第５入力信号をセンシングすることができる。ここで、第５入力信号が既設定の暗号に該当する場合、移動端末機１００は第２ロックモードに遷移することができる。また、第５入力信号が既設定の暗号に該当しない場合、移動端末機１００は第１アンロックモードを維持することができる。
【０２６４】
まず、図１８Ｃの１番目の図に示すように、移動端末機１００は、第１アンロックモード１８４０でディスプレイ部の既設定の領域１８５０を除外した領域に対する第４入力信号１８２０ｃをセンシングすることができる。次に、図１８Ｃの２番目の図に示すように、移動端末機１００はユーザ認証インターフェース１８６０をディスプレイすることができる。ここで、ユーザ認証インターフェース１８６０は、現在、移動端末機１００を利用するユーザが登録されたユーザであるかを決定するためのインターフェースに該当する。図１８Ｃの例において、ユーザ認証インターフェース１８５０は、数字の暗号を入力するインターフェースに該当し得る。ただし、図１８Ｃに図示していないが、ユーザ認証インターフェース１８６０は、指紋認識、筆跡認識、音声認識、顔認識、虹彩認識などの様々な方法で提供されてもよい。
【０２６５】
次に、移動端末機１００は、ユーザ認証インターフェース１８６０に対する第５入力信号をセンシングすることができる。例えば、第５入力信号は、ユーザ認証インターフェースに対する数字暗号に該当し得る。図１８Ｃに示すように、第５入力信号によりユーザが認証された場合、移動端末機１００は第２ロックモードに切り替えることができる。これは、ユーザ認証インターフェース１８６０を介してユーザ認証が完了したので、コンテンツ全体に対する使用が可能であるからである。このとき、移動端末機１００は、ノーティフィケーション１８３０を提供するイベントの発生を受信することができる。
【０２６６】
ここで、発生したイベントは、メッセージ受信であって、図１８Ｃの４番目の図に示すように、恋人から来たメッセージである‘Ｉ Ｌｏｖｅ ｙｏｕ’に該当し得る。これは、個人の私生活と関連したメッセージに該当する。したがって、移動端末機１００は、第２ロックモードではノーティフィケーション１８３０を提供することができる。ただし、図１８Ｃに図示していないが、第５入力信号によりユーザが認証されなかった場合、移動端末機１００は第１アンロックモードを維持することができる。
【０２６７】
図１９は、本発明の一実施例による移動端末機の制御方法を示すフローチャートである。以下、説明する図１９の各ステップは、図５に示した移動端末機の制御部によって制御されてもよい。
【０２６８】
まず、移動端末機は、第１入力信号をセンシングすることができる（Ｓ１９１０）。第１入力信号は、タッチ入力及びホバリング入力の両方を含むことができる。例えば、第１入力信号は、ショート−タッチ、ロング−タッチ、マルチタッチ、ドラッグタッチなどを含むことができる。
【０２６９】
移動端末機は、第１入力信号をセンシングするときにディスプレイ部が活性化されているか否かを決定することができる（Ｓ１９２０）。ディスプレイ部が活性化されているか否かは、ディスプレイ部に電源が供給中であるかを示す。
【０２７０】
ステップＳ１９２０において、ディスプレイ部が活性化されているものと決定された場合、移動端末機は第２アンロックモードに遷移することができる（Ｓ１９３０）。図１１で詳述したように、第２アンロックモードは、移動端末機で利用可能なコンテンツのコンテンツ全体を提供するモードに該当し得る。
【０２７１】
一方、ステップＳ１９２０において、ディスプレイ部が非活性化されているものと決定された場合、移動端末機は第１アンロックモードに遷移することができる（Ｓ１９４０）。図１１Ａ及び図１１Ｂで詳述したように、第１アンロックモードは、移動端末機で利用可能なコンテンツの一部のコンテンツを提供するモードに該当し得る。上述した第１及び第２アンロックモードは、上述した図６乃至図９の様々な実施例を適用することができる。
【０２７２】
図２０は、本発明の一実施例による移動端末機の制御方法を示すフローチャートである。以下、説明される図２０の各ステップは、図５に示された移動端末機のプロセッサによって制御されてもよい。また、図２０の実施例において、上述した図１９の実施例と同一または相応する部分は詳細な説明を省略する。
【０２７３】
まず、移動端末機は、第１入力信号をセンシングすることができる（Ｓ２０１０）。次に、移動端末機は、既設定の領域で第１入力信号をセンシングしたか否かを決定することができる（Ｓ２０２０）。図１２Ａ乃至図１５Ｂで詳述したように、既設定の領域は、ディスプレイ部上の一部の領域であって、別途のインジケーターで表示されていない領域に該当する。移動端末機の所有者または認証されたユーザは、既設定の領域の位置を記憶し、タッチ入力のような信号を既設定の領域に入力することができる。
【０２７４】
ステップＳ２０２０において、既設定の領域で第１入力信号をセンシングした場合、移動端末機は第１アンロックモードに遷移することができる（Ｓ２０３０）。すなわち、移動端末機の所有者または認証されたユーザは、他のユーザが知ることができない既設定の領域に対して入力信号を付加して、コンテンツ全体の一部のみを他のユーザに提供することができる。また、既設定の領域で第１入力信号がセンシングされる場合は、第１入力信号の最終位置が既設定の領域に含まれる場合を示す。
【０２７５】
一例として、図１２Ａ乃至図１４Ｂで詳述したように、移動端末機は、ディスプレイ部が活性化された状態で、既設定の領域に対して第１入力信号をセンシングすることができる。他の一例として、図１５Ａ及び図１５Ｂで詳述したように、移動端末機は、ディスプレイ部が非活性化された状態で、既設定の領域に対して第１入力信号をセンシングすることができる。
【０２７６】
一方、ステップＳ２０２０において、既設定の領域を除外した領域で第１入力信号をセンシングした場合、移動端末機は第２アンロックモードに遷移することができる（Ｓ２０４０）。すなわち、ステップＳ２０３０でセンシングされた信号と同一の第１入力信号をアンロックインターフェースでセンシングすることによって、移動端末機は、利用可能なコンテンツ全体をディスプレイする第２アンロックモードに遷移することができる。また、既設定の領域を除外した領域で第１入力信号がセンシングされる場合は、第１入力信号の最終位置が既設定の領域を除外した領域に含まれる場合を示す。
【０２７７】
一例として、図１２Ａ乃至図１４Ｂで詳述したように、移動端末機は、ディスプレイ部が活性化された状態で、既設定の領域を除外した領域に対して第１入力信号をセンシングすることができる。例えば、移動端末機は、ディスプレイ部が活性化された状態で、アンロックインターフェースをディスプレイすることができる。この場合、図１２Ａ及び図１２Ｂで詳述したように、既設定の領域を除外した領域は、アンロックインターフェースがディスプレイされた領域に対応することができる。他の一例として、図１５Ａ及び図１５Ｂで詳述したように、移動端末機は、ディスプレイ部が非活性化された状態で、既設定の領域を除外した領域に対して第１入力信号をセンシングすることができる。
【０２７８】
図２１は、本発明の一実施例による移動端末機の制御方法を示すフローチャートである。以下、説明される図２１の各ステップは、図５に示された移動端末機のプロセッサによって制御されてもよい。また、図２１の実施例において、上述した図１９の実施例と同一または相応する部分は詳細な説明を省略する。
【０２７９】
まず、移動端末機は、第１入力信号をセンシングすることができる（Ｓ２１１０）。次いで、移動端末機は、外部デジタルデバイスから第１信号または第２信号を受信したか否かを決定することができる（Ｓ２１２０）。ここで、図１６で詳述したように、外部デジタルデバイスは、ウォッチ型端末機、グラス型端末機、ドローンなどの、移動端末機に通信接続した端末機を含むことができる。
【０２８０】
ステップＳ２１２０において、外部デジタルデバイスから第１信号を受信した場合、移動端末機は第１アンロックモードに遷移することができる（Ｓ２１３０）。図１６Ａで詳述したように、第１信号は、外部デジタルデバイスの第１使用モードを示す信号に該当し得る。また、第１使用モードは、外部デジタルデバイスにセキュリティが設定されたモードであって、コンテンツ全体の一部のみを提供するモードに該当し得る。
【０２８１】
一方、ステップＳ２１２０において、外部デジタルデバイスから第２信号を受信した場合、移動端末機は第２アンロックモードに遷移することができる（Ｓ２１４０）。図１６Ｂで詳述したように、第２信号は、外部デジタルデバイスの第２使用モードを示す信号に該当し得る。また、第２使用モードは、外部デジタルデバイスにセキュリティが解除されたモードであって、コンテンツ全体を提供するモードに該当し得る。
【０２８２】
一方、第１使用モード及び第２使用モードは、セキュリティの設定有無だけでなく、外部デジタルデバイスの現在の位置、現在ユーザが休息状態であるか業務中であるかなどの様々な条件に基づいて決定されてもよい。
【０２８３】
前述した本発明は、プログラムが記録された媒体にコンピュータが読み取り可能なコードとして具現することが可能である。コンピュータが読み取り可能な媒体は、コンピュータシステムが読み取り可能なデータが格納されるいかなる種類の記録装置をも含む。コンピュータが読み取り可能な媒体の例としては、ＨＤＤ（Ｈａｒｄ  Ｄｉｓｋ  Ｄｒｉｖｅ）、ＳＳＤ（Ｓｏｌｉｄ  Ｓｔａｔｅ  Ｄｉｓｋ）、ＳＤＤ（Ｓｉｌｉｃｏｎ  Ｄｉｓｋ  Ｄｒｉｖｅ）、ＲＯＭ、ＲＡＭ、ＣＤ−ＲＯＭ、磁気テープ、フロッピー（登録商標）ディスク、光データ格納装置などがあり、また、キャリアウェーブ（例えば、インターネットを介した伝送）の形態で具現されることも含む。また、前記コンピュータは、端末機の制御部１８０を含むこともできる。したがって、上記の詳細な説明は、いずれの面においても制限的に解釈されてはならず、例示的なものとして考慮しなければならない。本発明の範囲は、添付した請求項の合理的解釈により決定されなければならず、本発明の等価的な範囲内における変更はいずれも本発明の範囲に含まれる。
【符号の説明】
【０２８４】
１００    移動端末機
５１０    ディスプレイ部
５２０    センシング部
５３０    コミュニケーション部
５４０    制御部
５５０    外部デジタルデバイス
【図１Ａ】
2016201090.tif 000003
【図１Ｂ】
2016201090.tif 000004
【図１Ｃ】
2016201090.tif 000005
【図２】
2016201090.tif 000006
【図３】
2016201090.tif 000007
【図４】
2016201090.tif 000008
【図５】
2016201090.tif 000009
【図６】
2016201090.tif 000010
【図７】
2016201090.tif 000011
【図８】
2016201090.tif 000012
【図９】
2016201090.tif 000013
【図１０】
2016201090.tif 000014
【図１１Ａ】
2016201090.tif 000015
【図１１Ｂ】
2016201090.tif 000016
【図１２Ａ】
2016201090.tif 000017
【図１２Ｂ】
2016201090.tif 000018
【図１３Ａ】
2016201090.tif 000019
【図１３Ｂ】
2016201090.tif 000020
【図１４Ａ】
2016201090.tif 000021
【図１４Ｂ】
2016201090.tif 000022
【図１５Ａ】
2016201090.tif 000023
【図１５Ｂ】
2016201090.tif 000024
【図１６Ａ】
2016201090.tif 000025
【図１６Ｂ】
2016201090.tif 000026
【図１７Ａ】
2016201090.tif 000027
【図１７Ｂ】
2016201090.tif 000028
【図１８Ａ】
2016201090.tif 000029
【図１８Ｂ】
2016201090.tif 000030
【図１８Ｃ】
2016201090.tif 000031
【図１９】
2016201090.tif 000032
【図２０】
2016201090.tif 000033
【図２１】
2016201090.tif 000034